(57)【要約】【課題】所定エリアの監視に関する優れた機能を提供することが可能なセンサ情報処理装置および処理プログラムを提供する。【解決手段】センサ情報処理装置は、所定エリアに配置された複数のセンサから無線送信されるセンサ情報を取得する取得部と、前記所定エリアの図面を表示する処理を行う処理部とを備え、前記処理部は、前記取得部によって取得された前記センサ情報に基づく、前記複数のセンサのうちの一部または全部の前記センサのアイコンを、前記図面における対応位置に同時に表示する処理を行う。【選択図】図３
2020078089.tif 000002
【特許請求の範囲】
【請求項１】
所定エリアに配置された複数のセンサから無線送信されるセンサ情報を取得する取得部と、
前記所定エリアの図面を表示する処理を行う処理部とを備え、
前記処理部は、前記取得部によって取得された前記センサ情報に基づく、前記複数のセンサのうちの一部または全部の前記センサのアイコンを、前記図面における対応位置に同時に表示する処理を行う、センサ情報処理装置。
【請求項２】
所定エリアに配置された複数のセンサから無線送信されるセンサ情報を取得する取得部と、
前記所定エリアの図面を表示する処理を行う処理部とを備え、
前記取得部は、前記センサから送信される無線信号を受信する無線装置経由で前記センサ情報を取得し、前記無線装置による前記無線信号の計測結果を取得し、
前記処理部は、前記取得部によって取得された前記計測結果に基づく、前記複数のセンサのうちの一部または全部の前記センサのアイコンを、前記図面における対応位置に同時に表示する処理を行う、センサ情報処理装置。
【請求項３】
前記センサ情報は、前記センサの計測対象に関する計測結果を含む、請求項１または請求項２に記載のセンサ情報処理装置。
【請求項４】
前記センサ情報は、前記センサの電池残量に関する計測結果を含む、請求項１から請求項３のいずれか１項に記載のセンサ情報処理装置。
【請求項５】
前記センサ情報は、前記センサの異常に関する判定結果を含む、請求項１から請求項４のいずれか１項に記載のセンサ情報処理装置。
【請求項６】
前記計測結果は、前記無線信号の品質を示すＬＱＩ（Ｌｉｎｋ  Ｑｕａｌｉｔｙ  Ｉｎｄｉｃａｔｉｏｎ）である、請求項２に記載のセンサ情報処理装置。
【請求項７】
前記処理部は、前記センサ情報の内容に応じて対応の前記アイコンの表示色を変更する、請求項１から請求項６のいずれか１項に記載のセンサ情報処理装置。
【請求項８】
前記処理部は、前記センサ情報の内容に応じた対応の前記センサの電池の交換時期を認識可能に表示する処理を行う、請求項１から請求項７のいずれか１項に記載のセンサ情報処理装置。
【請求項９】
前記処理部は、前記電池の前記交換時期までの日数を表示する処理を行う、請求項８に記載のセンサ情報処理装置。
【請求項１０】
前記処理部は、前記図面における対応位置が未定である前記アイコンを所定位置に表示する処理を行い、
前記処理部は、前記対応位置を指定する操作内容を示す操作情報に基づいて前記アイコンの表示位置を前記所定位置から前記対応位置に変更する、請求項１から請求項９のいずれか１項に記載のセンサ情報処理装置。
【請求項１１】
前記処理部は、前記取得部において前記センサ情報が所定時間以上取得されない場合に、対応の前記センサの前記アイコンの表示態様を変更する、請求項１から請求項１０のいずれか１項に記載のセンサ情報処理装置。
【請求項１２】
所定エリアに配置された複数のセンサから無線送信されるセンサ情報を取得する取得部と、
前記取得部によって取得された前記センサ情報の示す値と複数のしきい値とを比較し、比較結果に応じて異なる処理を行う処理部とを備える、センサ情報処理装置。
【請求項１３】
前記処理部は、前記所定エリアの図面を表示するとともに、前記図面における対応位置に１または複数の前記センサのアイコンを表示する処理を行い、前記比較結果に応じて前記アイコンの表示態様を変更する、請求項１２に記載のセンサ情報処理装置。
【請求項１４】
前記処理部は、前記所定エリアに関する報知処理を行い、前記比較結果に応じて報知先の範囲を変更する、請求項１２または請求項１３に記載のセンサ情報処理装置。
【請求項１５】
前記処理部は、前記所定エリアに関する報知処理を行い、前記比較結果に応じて報知内容を変更する、請求項１２から請求項１４のいずれか１項に記載のセンサ情報処理装置。
【請求項１６】
前記処理部は、機器の動作を制御可能であり、前記比較結果に応じて制御対象の前記機器を変更する、請求項１２から請求項１５のいずれか１項に記載のセンサ情報処理装置。
【請求項１７】
前記処理部は、機器の動作を制御可能であり、前記比較結果に応じて前記機器の動作内容を変更する、請求項１２から請求項１６のいずれか１項に記載のセンサ情報処理装置。
【請求項１８】
前記複数のしきい値は、上限しきい値および下限しきい値を含み、
前記処理部は、前記センサ情報の示す値が前記上限しきい値を上回った場合と、前記値が前記下限しきい値を下回った場合とで異なる処理を行う、請求項１２から請求項１７のいずれか１項に記載のセンサ情報処理装置。
【請求項１９】
所定エリアに配置された複数のセンサから無線送信されるセンサ情報を取得する取得部と、
前記取得部によって取得された前記センサ情報が所定条件を満たす前記センサの数に応じて異なる処理を行う処理部とを備える、センサ情報処理装置。
【請求項２０】
所定エリアに配置された複数のセンサから無線送信されるセンサ情報を取得する取得部と、
機器の動作を制御可能な処理部とを備え、
前記取得部は、さらに、前記センサと前記機器とを対応付ける操作を示す操作情報を取得し、
前記処理部は、前記取得部によって取得された前記操作情報に基づいて、前記取得部によって取得された前記センサ情報が所定条件を満たす前記センサに対応する前記機器を起動するか、または所定の動作を行わせる、センサ情報処理装置。
【請求項２１】
センサ情報を無線伝送によりブロードキャストする複数のセンサについて、前記センサに関する判別用情報を取得する取得部と、
前記取得部によって取得された前記判別用情報が所定条件を満たす前記センサを他の前記センサと識別可能に表示する処理を行う処理部とを備える、センサ情報処理装置。
【請求項２２】
センサ情報を無線伝送によりブロードキャストする複数のセンサについて、前記センサに関する判別用情報を取得し、かつ前記センサ情報を取得する取得部と、
前記取得部によって取得された前記判別用情報が所定条件を満たすか否かに応じて、対応の前記センサから取得した前記センサ情報に基づく情報を保存するか否かを決定する処理を行う処理部とを備える、センサ情報処理装置。
【請求項２３】
前記判別用情報は、前記センサの識別情報を含み、
前記所定条件は、前記センサの識別情報が登録されていることを含む、請求項２１または請求項２２に記載のセンサ情報処理装置。
【請求項２４】
前記取得部は、前記センサから送信される無線信号を受信する無線装置経由で前記センサ情報を取得し、
前記判別用情報は、前記無線装置の識別情報を含み、
前記所定条件は、前記無線装置の識別情報が登録されていることを含む、請求項２１から請求項２３のいずれか１項に記載のセンサ情報処理装置。
【請求項２５】
前記判別用情報は、前記センサの通信プロトコルのバージョンを含み、
前記所定条件は、前記バージョンが登録されていることを含む、請求項２１から請求項２４のいずれか１項に記載のセンサ情報処理装置。
【請求項２６】
所定エリアに配置された複数のセンサから無線送信されるセンサ情報を取得する取得部と、
前記センサの状態情報を表示する処理を行う処理部とを備え、
前記処理部は、前記取得部によって取得された前記センサ情報に基づいて、前記センサ情報に異常が生じた旨を示す前記状態情報を表示し、その後、前記状態情報を確認する操作が行われた場合、前記状態情報の表示態様を変更する、センサ情報処理装置。
【請求項２７】
所定エリアに配置された複数のセンサから無線送信されるセンサ情報を取得する取得部と、
前記取得部によって取得された前記センサ情報に基づいて、前記センサの電池残量に関する計測結果の履歴を表示する処理を行う処理部とを備える、センサ情報処理装置。
【請求項２８】
所定エリアに配置された複数のセンサから無線送信されるセンサ情報を取得する取得部と、
前記センサから送信される無線信号に関する計測結果の履歴を表示する処理を行う処理部とを備える、センサ情報処理装置。
【請求項２９】
前記取得部は、前記センサから送信される無線信号を受信する無線装置経由で前記センサ情報を取得し、
前記処理部は、１つの前記センサから送信される無線信号の複数の前記無線装置による計測結果を表示する処理を行う、請求項２８に記載のセンサ情報処理装置。
【請求項３０】
センサ情報処理装置において用いられる処理プログラムであって、
コンピュータを、
所定エリアに配置された複数のセンサから無線送信されるセンサ情報を取得する取得部と、
前記所定エリアの図面を表示する処理を行う処理部と、
として機能させるためのプログラムであり、
前記処理部は、前記取得部によって取得された前記センサ情報に基づく、前記複数のセンサのうちの一部または全部の前記センサのアイコンを、前記図面における対応位置に同時に表示する処理を行う、処理プログラム。
【請求項３１】
センサ情報処理装置において用いられる処理プログラムであって、
コンピュータを、
所定エリアに配置された複数のセンサから無線送信されるセンサ情報を取得する取得部と、
前記所定エリアの図面を表示する処理を行う処理部と、
として機能させるためのプログラムであり、
前記取得部は、前記センサから送信される無線信号を受信する無線装置経由で前記センサ情報を取得し、前記無線装置による前記無線信号の計測結果を取得し、
前記処理部は、前記取得部によって取得された前記計測結果に基づく、前記複数のセンサのうちの一部または全部の前記センサのアイコンを、前記図面における対応位置に同時に表示する処理を行う、処理プログラム。
【請求項３２】
センサ情報処理装置において用いられる処理プログラムであって、
コンピュータを、
所定エリアに配置された複数のセンサから無線送信されるセンサ情報を取得する取得部と、
前記取得部によって取得された前記センサ情報の示す値と複数のしきい値とを比較し、比較結果に応じて異なる処理を行う処理部と、
として機能させるための、処理プログラム。
【請求項３３】
センサ情報処理装置において用いられる処理プログラムであって、
コンピュータを、
所定エリアに配置された複数のセンサから無線送信されるセンサ情報を取得する取得部と、
前記取得部によって取得された前記センサ情報が所定条件を満たす前記センサの数に応じて異なる処理を行う処理部と、
として機能させるための、処理プログラム。
【請求項３４】
センサ情報処理装置において用いられる処理プログラムであって、
コンピュータを、
所定エリアに配置された複数のセンサから無線送信されるセンサ情報を取得する取得部と、
機器の動作を制御可能な処理部と、
として機能させるためのプログラムであり、
前記取得部は、さらに、前記センサと前記機器とを対応付ける操作を示す操作情報を取得し、
前記処理部は、前記取得部によって取得された前記操作情報に基づいて、前記取得部によって取得された前記センサ情報が所定条件を満たす前記センサに対応する前記機器を起動するか、または所定の動作を行わせる、処理プログラム。
【請求項３５】
センサ情報処理装置において用いられる処理プログラムであって、
コンピュータを、
センサ情報を無線伝送によりブロードキャストする複数のセンサについて、前記センサに関する判別用情報を取得する取得部と、
前記取得部によって取得された前記判別用情報が所定条件を満たす前記センサを他の前記センサと識別可能に表示する処理を行う処理部と、
として機能させるための、処理プログラム。
【請求項３６】
センサ情報処理装置において用いられる処理プログラムであって、
コンピュータを、
センサ情報を無線伝送によりブロードキャストする複数のセンサについて、前記センサに関する判別用情報を取得し、かつ前記センサ情報を取得する取得部と、
前記取得部によって取得された前記判別用情報が所定条件を満たすか否かに応じて、対応の前記センサから取得した前記センサ情報に基づく情報を保存するか否かを決定する処理を行う処理部と、
として機能させるための、処理プログラム。
【請求項３７】
センサ情報処理装置において用いられる処理プログラムであって、
コンピュータを、
所定エリアに配置された複数のセンサから無線送信されるセンサ情報を取得する取得部と、
前記センサの状態情報を表示する処理を行う処理部と、
として機能させるためのプログラムであり、
前記処理部は、前記取得部によって取得された前記センサ情報に基づいて、前記センサ情報に異常が生じた旨を示す前記状態情報を表示し、その後、前記状態情報を確認する操作が行われた場合、前記状態情報の表示態様を変更する、処理プログラム。
【請求項３８】
センサ情報処理装置において用いられる処理プログラムであって、
コンピュータを、
所定エリアに配置された複数のセンサから無線送信されるセンサ情報を取得する取得部と、
前記取得部によって取得された前記センサ情報に基づいて、前記センサの電池残量に関する計測結果の履歴を表示する処理を行う処理部と、
として機能させるための、処理プログラム。
【請求項３９】
センサ情報処理装置において用いられる処理プログラムであって、
コンピュータを、
所定エリアに配置された複数のセンサから無線送信されるセンサ情報を取得する取得部と、
前記センサから送信される無線信号に関する計測結果の履歴を表示する処理を行う処理部と、
として機能させるための、処理プログラム。
【発明の詳細な説明】
【技術分野】
【０００１】
本発明は、センサ情報処理装置および処理プログラムに関し、特に、センサからの情報を処理するセンサ情報処理装置および処理プログラムに関する。
【背景技術】
【０００２】
所定エリアを監視するための技術が各種開発されている。たとえば、特開２００６−２０８０００号公報（特許文献１）には、以下のような技術が開示されている。すなわち、空気流分配装置は、データセンタ内で使用する空気流分配装置であって、前記データセンタ内の少なくとも１つのサーバにおける複数のファンに結合されている少なくとも１つの空気流センサと、前記少なくとも１つの空気流センサに結合されるとともに、前記複数のファンについて空気流を監視するとともに、検知された空気流に応じて前記データセンタ内での冷却を制御するように構成されるコントローラとを備えることを特徴とする。
【先行技術文献】
【特許文献】
【０００３】
【特許文献１】特開２００６−２０８０００号公報
【発明の概要】
【発明が解決しようとする課題】
【０００４】
所定エリアを良好に監視するための技術が求められている。
【０００５】
この発明は、上述の課題を解決するためになされたもので、その目的は、所定エリアの監視に関する優れた機能を提供することが可能なセンサ情報処理装置および処理プログラムを提供することである。
【課題を解決するための手段】
【０００６】
（１）上記課題を解決するために、この発明のある局面に係わるセンサ情報処理装置は、所定エリアに配置された複数のセンサから無線送信されるセンサ情報を取得する取得部と、前記所定エリアの図面を表示する処理を行う処理部とを備え、前記処理部は、前記取得部によって取得された前記センサ情報に基づく、前記複数のセンサのうちの一部または全部の前記センサのアイコンを、前記図面における対応位置に同時に表示する処理を行う。
【０００７】
（２）上記課題を解決するために、この発明の他の局面に係わるセンサ情報処理装置は、所定エリアに配置された複数のセンサから無線送信されるセンサ情報を取得する取得部と、前記所定エリアの図面を表示する処理を行う処理部とを備え、前記取得部は、前記センサから送信される無線信号を受信する無線装置経由で前記センサ情報を取得し、前記無線装置による前記無線信号の計測結果を取得し、前記処理部は、前記取得部によって取得された前記計測結果に基づく、前記複数のセンサのうちの一部または全部の前記センサのアイコンを、前記図面における対応位置に同時に表示する処理を行う。
【０００８】
（１２）上記課題を解決するために、この発明の他の局面に係わるセンサ情報処理装置は、所定エリアに配置された複数のセンサから無線送信されるセンサ情報を取得する取得部と、前記取得部によって取得された前記センサ情報の示す値と複数のしきい値とを比較し、比較結果に応じて異なる処理を行う処理部とを備える。
【０００９】
（１９）上記課題を解決するために、この発明の他の局面に係わるセンサ情報処理装置は、所定エリアに配置された複数のセンサから無線送信されるセンサ情報を取得する取得部と、前記取得部によって取得された前記センサ情報が所定条件を満たす前記センサの数に応じて異なる処理を行う処理部とを備える。
【００１０】
（２０）上記課題を解決するために、この発明の他の局面に係わるセンサ情報処理装置は、所定エリアに配置された複数のセンサから無線送信されるセンサ情報を取得する取得部と、機器の動作を制御可能な処理部とを備え、前記取得部は、さらに、前記センサと前記機器とを対応付ける操作を示す操作情報を取得し、前記処理部は、前記取得部によって取得された前記操作情報に基づいて、前記取得部によって取得された前記センサ情報が所定条件を満たす前記センサに対応する前記機器を起動するか、または所定の動作を行わせる。
【００１１】
（２１）上記課題を解決するために、この発明の他の局面に係わるセンサ情報処理装置は、センサ情報を無線伝送によりブロードキャストする複数のセンサについて、前記センサに関する判別用情報を取得する取得部と、前記取得部によって取得された前記判別用情報が所定条件を満たす前記センサを他の前記センサと識別可能に表示する処理を行う処理部とを備える。
【００１２】
（２２）上記課題を解決するために、この発明の他の局面に係わるセンサ情報処理装置は、センサ情報を無線伝送によりブロードキャストする複数のセンサについて、前記センサに関する判別用情報を取得し、かつ前記センサ情報を取得する取得部と、前記取得部によって取得された前記判別用情報が所定条件を満たすか否かに応じて、対応の前記センサから取得した前記センサ情報に基づく情報を保存するか否かを決定する処理を行う処理部とを備える。
【００１３】
（２６）上記課題を解決するために、この発明の他の局面に係わるセンサ情報処理装置は、所定エリアに配置された複数のセンサから無線送信されるセンサ情報を取得する取得部と、前記センサの状態情報を表示する処理を行う処理部とを備え、前記処理部は、前記取得部によって取得された前記センサ情報に基づいて、前記センサ情報に異常が生じた旨を示す前記状態情報を表示し、その後、前記状態情報を確認する操作が行われた場合、前記状態情報の表示態様を変更する。
【００１４】
（２７）上記課題を解決するために、この発明の他の局面に係わるセンサ情報処理装置は、所定エリアに配置された複数のセンサから無線送信されるセンサ情報を取得する取得部と、前記取得部によって取得された前記センサ情報に基づいて、前記センサの電池残量に関する計測結果の履歴を表示する処理を行う処理部とを備える。
【００１５】
（２８）上記課題を解決するために、この発明の他の局面に係わるセンサ情報処理装置は、所定エリアに配置された複数のセンサから無線送信されるセンサ情報を取得する取得部と、前記センサから送信される無線信号に関する計測結果の履歴を表示する処理を行う処理部とを備える。
【００１６】
（３０）上記課題を解決するために、この発明のある局面に係わる処理プログラムは、センサ情報処理装置において用いられる処理プログラムであって、コンピュータを、所定エリアに配置された複数のセンサから無線送信されるセンサ情報を取得する取得部と、前記所定エリアの図面を表示する処理を行う処理部と、として機能させるためのプログラムであり、前記処理部は、前記取得部によって取得された前記センサ情報に基づく、前記複数のセンサのうちの一部または全部の前記センサのアイコンを、前記図面における対応位置に同時に表示する処理を行う。
【００１７】
（３１）上記課題を解決するために、この発明の他の局面に係わる処理プログラムは、センサ情報処理装置において用いられる処理プログラムであって、コンピュータを、所定エリアに配置された複数のセンサから無線送信されるセンサ情報を取得する取得部と、前記所定エリアの図面を表示する処理を行う処理部と、として機能させるためのプログラムであり、前記取得部は、前記センサから送信される無線信号を受信する無線装置経由で前記センサ情報を取得し、前記無線装置による前記無線信号の計測結果を取得し、前記処理部は、前記取得部によって取得された前記計測結果に基づく、前記複数のセンサのうちの一部または全部の前記センサのアイコンを、前記図面における対応位置に同時に表示する処理を行う。
【００１８】
（３２）上記課題を解決するために、この発明の他の局面に係わる処理プログラムは、センサ情報処理装置において用いられる処理プログラムであって、コンピュータを、所定エリアに配置された複数のセンサから無線送信されるセンサ情報を取得する取得部と、前記取得部によって取得された前記センサ情報の示す値と複数のしきい値とを比較し、比較結果に応じて異なる処理を行う処理部と、として機能させるためのプログラムである。
【００１９】
（３３）上記課題を解決するために、この発明の他の局面に係わる処理プログラムは、センサ情報処理装置において用いられる処理プログラムであって、コンピュータを、所定エリアに配置された複数のセンサから無線送信されるセンサ情報を取得する取得部と、前記取得部によって取得された前記センサ情報が所定条件を満たす前記センサの数に応じて異なる処理を行う処理部と、として機能させるためのプログラムである。
【００２０】
（３４）上記課題を解決するために、この発明の他の局面に係わる処理プログラムは、センサ情報処理装置において用いられる処理プログラムであって、コンピュータを、所定エリアに配置された複数のセンサから無線送信されるセンサ情報を取得する取得部と、機器の動作を制御可能な処理部と、として機能させるためのプログラムであり、前記取得部は、さらに、前記センサと前記機器とを対応付ける操作を示す操作情報を取得し、前記処理部は、前記取得部によって取得された前記操作情報に基づいて、前記取得部によって取得された前記センサ情報が所定条件を満たす前記センサに対応する前記機器を起動するか、または所定の動作を行わせる。
【００２１】
（３５）上記課題を解決するために、この発明の他の局面に係わる処理プログラムは、センサ情報処理装置において用いられる処理プログラムであって、コンピュータを、センサ情報を無線伝送によりブロードキャストする複数のセンサについて、前記センサに関する判別用情報を取得する取得部と、前記取得部によって取得された前記判別用情報が所定条件を満たす前記センサを他の前記センサと識別可能に表示する処理を行う処理部と、として機能させるためのプログラムである。
【００２２】
（３６）上記課題を解決するために、この発明の他の局面に係わる処理プログラムは、センサ情報処理装置において用いられる処理プログラムであって、コンピュータを、センサ情報を無線伝送によりブロードキャストする複数のセンサについて、前記センサに関する判別用情報を取得し、かつ前記センサ情報を取得する取得部と、前記取得部によって取得された前記判別用情報が所定条件を満たすか否かに応じて、対応の前記センサから取得した前記センサ情報に基づく情報を保存するか否かを決定する処理を行う処理部と、として機能させるためのプログラムである。
【００２３】
（３７）上記課題を解決するために、この発明の他の局面に係わる処理プログラムは、センサ情報処理装置において用いられる処理プログラムであって、コンピュータを、所定エリアに配置された複数のセンサから無線送信されるセンサ情報を取得する取得部と、前記センサの状態情報を表示する処理を行う処理部と、として機能させるためのプログラムであり、前記処理部は、前記取得部によって取得された前記センサ情報に基づいて、前記センサ情報に異常が生じた旨を示す前記状態情報を表示し、その後、前記状態情報を確認する操作が行われた場合、前記状態情報の表示態様を変更する。
【００２４】
（３８）上記課題を解決するために、この発明の他の局面に係わる処理プログラムは、センサ情報処理装置において用いられる処理プログラムであって、コンピュータを、所定エリアに配置された複数のセンサから無線送信されるセンサ情報を取得する取得部と、前記取得部によって取得された前記センサ情報に基づいて、前記センサの電池残量に関する計測結果の履歴を表示する処理を行う処理部と、として機能させるためのプログラムである。
【００２５】
（３９）上記課題を解決するために、この発明の他の局面に係わる処理プログラムは、センサ情報処理装置において用いられる処理プログラムであって、コンピュータを、所定エリアに配置された複数のセンサから無線送信されるセンサ情報を取得する取得部と、前記センサから送信される無線信号に関する計測結果の履歴を表示する処理を行う処理部と、として機能させるためのプログラムである。
【００２６】
本発明は、このような特徴的な処理部を備えるセンサ情報処理装置として実現することができるだけでなく、センサ情報処理装置を備えるセンサ情報処理システムとして実現したり、かかる特徴的な処理をステップとする方法として実現したり、センサ情報処理装置の一部または全部を実現する半導体集積回路として実現したりすることができる。
【発明の効果】
【００２７】
本発明によれば、所定エリアの監視に関する優れた機能を提供することができる。
【図面の簡単な説明】
【００２８】
【図１】図１は、本発明の第１の実施の形態に係るセンサ情報処理システムの構成を示す図である。
【図２】図２は、本発明の第１の実施の形態に係るセンサ情報処理システムにおけるセンサが設けられた工場の一例を示す図である。
【図３】図３は、本発明の第１の実施の形態に係る機器管理システムにおけるセンサ情報処理装置の構成を示す図である。
【図４】〜
【図９】図４〜図９は、本発明の第１の実施の形態に係るセンサ情報処理システムにおいて、表示装置に表示された画面の一例を示す図である。
【図１０】図１０は、本発明の第１の実施の形態に係るセンサ情報処理システムにおいて、表示装置の画面に表示される入力欄を説明するための図である。
【図１１】〜
【図１３】図１１〜図１３は、本発明の第１の実施の形態に係るセンサ情報処理システムにおいて、表示装置に表示された画面の一例を示す図である。
【図１４】図１４は、本発明の第１の実施の形態に係るセンサ情報処理システムにおいて、表示装置における画面に表示される標準アイコンの一例を示す図である。
【図１５】〜
【図１７】図１５〜図１７は、本発明の第１の実施の形態に係るセンサ情報処理システムにおいて、表示装置に表示された画面の一例を示す図である。
【図１８】図１８は、本発明の第１の実施の形態に係るセンサ情報処理システムにおいて、表示装置における画面に表示される電波アイコンの一例を示す図である。
【図１９】図１９は、本発明の第１の実施の形態に係るセンサ情報処理システムにおいて、表示装置に表示された画面の一例を示す図である。
【図２０】図２０は、本発明の第１の実施の形態に係るセンサ情報処理システムにおいて、表示装置における画面に表示される電池アイコンの一例を示す図である。
【図２１】図２１は、本発明の第１の実施の形態に係るセンサ情報処理システムにおいて、表示装置に表示された画面の一例を示す図である。
【図２２】図２２は、本発明の第１の実施の形態に係るセンサ情報処理システムにおいて、表示装置における画面に表示される電池アイコンの変形例を示す図である。
【図２３】図２３は、本発明の第１の実施の形態に係るセンサ情報処理システムにおいて、表示装置に表示されたサブ画面の一例を示す図である。
【図２４】図２４は、本発明の第１の実施の形態に係るセンサ情報処理システムにおいて、表示装置に表示された画面の一例を示す図である。
【図２５】図２５は、本発明の第１の実施の形態に係るセンサ情報処理システムにおいて、表示装置に表示されたサブ画面の一例を示す図である。
【図２６】〜
【図２８】図２６〜図２８は、本発明の第１の実施の形態に係るセンサ情報処理システムにおいて、表示装置に表示された画面の一例を示す図である。
【図２９】図２９は、本発明の第１の実施の形態に係るセンサ情報処理装置がセンサ情報に基づいてアイコンを表示する際の動作手順を定めたフローチャートである。
【図３０】図３０は、本発明の第２の実施の形態に係るセンサ情報処理システムの構成を示す図である。
【図３１】図３１は、本発明の第２の実施の形態に係るセンサ情報処理システムにおけるセンサが設けられた工場の一例を示す図である。
【図３２】図３２は、本発明の第２の実施の形態に係る機器管理システムにおけるセンサ情報処理装置の構成を示す図である。
【図３３】〜
【図３６】図３３〜図３６は、本発明の第２の実施の形態に係るセンサ情報処理システムにおいて、表示装置に表示された画面の一例を示す図である。
【図３７】図３７は、本発明の第２の実施の形態に係るセンサ情報処理装置がセンサ情報に基づいて機器制御および報知処理を行う際の動作手順を定めたフローチャートである。
【発明を実施するための形態】
【００２９】
最初に、本発明の実施形態の内容を列記して説明する。
【００３０】
（１）本発明の実施の形態に係るセンサ情報処理装置は、所定エリアに配置された複数のセンサから無線送信されるセンサ情報を取得する取得部と、前記所定エリアの図面を表示する処理を行う処理部とを備え、前記処理部は、前記取得部によって取得された前記センサ情報に基づく、前記複数のセンサのうちの一部または全部の前記センサのアイコンを、前記図面における対応位置に同時表示する処理を行う。
【００３１】
このような構成により、ユーザは、図面上に表示されたアイコンを視認することで、アイコンの示すセンサから送信されたセンサ情報の内容を認識することができるので、工場等の所定エリアの状態を迅速かつ正しく認識することができる。したがって、所定エリアの監視に関する優れた機能を提供することができる。これにより、ユーザは、たとえば所定エリアの状態に適した処理を行うことができる。
【００３２】
（２）本発明の実施の形態に係るセンサ情報処理装置は、所定エリアに配置された複数のセンサから無線送信されるセンサ情報を取得する取得部と、前記所定エリアの図面を表示する処理を行う処理部とを備え、前記取得部は、前記センサから送信される無線信号を受信する無線装置経由で前記センサ情報を取得し、前記無線装置による前記無線信号の計測結果を取得し、前記処理部は、前記取得部によって取得された前記計測結果に基づく、前記複数のセンサのうちの一部または全部の前記センサのアイコンを、前記図面における対応位置に同時に表示する処理を行う。
【００３３】
このような構成により、ユーザは、図面上に表示されたアイコンを視認することで、計測結果の内容を認識することができるので、工場等の所定エリアにおける電波状態を迅速かつ正しく認識することができる。したがって、所定エリアの監視に関する優れた機能を提供することができる。これにより、ユーザは、たとえば所定エリアの電波状態に適した処理を行うことができる。
【００３４】
（３）好ましくは、前記センサ情報は、前記センサの計測対象に関する計測結果を含む。
【００３５】
このような構成により、ユーザは、図面上に表示されたアイコンを視認することで、所定エリアにおける計測対象たとえば設備および環境の状態を迅速かつ正しく認識することができる。
【００３６】
（４）好ましくは、前記センサ情報は、前記センサの電池残量に関する計測結果を含む。
【００３７】
このような構成により、ユーザは、図面上に表示されたアイコンを視認することで、アイコンの示すセンサの電池残量を迅速かつ正しく認識することができる。これにより、ユーザは、電池交換のタイミングを容易に認識することができるので、センサのメンテナンスの負荷を軽減することができる。
【００３８】
（５）好ましくは、前記センサ情報は、前記センサの異常に関する判定結果を含む。
【００３９】
このような構成により、ユーザは、図面上に表示されたアイコンを視認することで、アイコンの示すセンサの異常を迅速かつ正しく認識することができる。これにより、ユーザは、センサの修理または交換等の必要性を容易に認識することができるので、センサのメンテナンスの負荷を軽減することができる。
【００４０】
（６）より好ましくは、前記計測結果は、前記無線信号の品質を示すＬＱＩ（Ｌｉｎｋ  Ｑｕａｌｉｔｙ  Ｉｎｄｉｃａｔｉｏｎ）である。
【００４１】
このような構成により、ユーザは、図面上に表示されたアイコンを視認することで、工場等の所定エリアにおける電波状態をＬＱＩという具体的な値で認識することができる。
【００４２】
（７）好ましくは、前記処理部は、前記センサ情報の内容に応じて対応の前記アイコンの表示色を変更する。
【００４３】
このように、センサ情報の内容の変化をアイコンの表示色に反映させる構成により、ユーザは、図面上に表示されたアイコンを視認することで、所定エリアの状態の変化を迅速かつ正しく認識することができる。
【００４４】
（８）好ましくは、前記処理部は、前記センサ情報の内容に応じた対応の前記センサの電池の交換時期を認識可能に表示する処理を行う。
【００４５】
このような構成により、ユーザは、図面上に表示されたアイコンを視認することで、アイコンの示すセンサの電池の交換のタイミングを容易に認識することができるので、たとえばセンサのメンテナンスについての適切な管理スケジュールを作成することができる。これにより、センサの管理の負荷を軽減することができる。
【００４６】
（９）より好ましくは、前記処理部は、前記電池の前記交換時期までの日数を表示する処理を行う。
【００４７】
このような構成により、ユーザは、図面上に表示されたアイコンを視認することで、アイコンの示すセンサの電池の交換のタイミングを容易かつ具体的に認識することができるので、より適切な管理スケジュールを作成することができる。これにより、センサの管理の負荷をさらに軽減することができる。
【００４８】
（１０）好ましくは、前記処理部は、前記図面における対応位置が未定である前記アイコンを所定位置に表示する処理を行い、前記処理部は、前記対応位置を指定する操作内容を示す操作情報に基づいて前記アイコンの表示位置を前記所定位置から前記対応位置に変更する。
【００４９】
このような構成により、ユーザは、図面上に表示されたアイコンが対応位置に表示されているか否かを容易に認識することができるので、図面におけるアイコンの配置処理の作業性を高めることができる。
【００５０】
（１１）好ましくは、前記処理部は、前記取得部において前記センサ情報が所定時間以上取得されない場合に、対応の前記センサの前記アイコンの表示態様を変更する。
【００５１】
このような構成により、ユーザは、図面上に表示されたアイコンを視認することで、センサ情報を送信しない異常なセンサを容易に認識することができる。
【００５２】
（１２）本発明の実施の形態に係るセンサ情報処理装置は、所定エリアに配置された複数のセンサから無線送信されるセンサ情報を取得する取得部と、前記取得部によって取得された前記センサ情報の示す値と複数のしきい値とを比較し、比較結果に応じて異なる処理を行う処理部とを備える。
【００５３】
このような構成により、工場等の所定エリアの状態を少なくとも３つのレベルで表すことができるので、ユーザは、たとえばレベルに応じた適切な処理を行うことができる。したがって、所定エリアの監視に関する優れた機能を提供することができる。
【００５４】
（１３）好ましくは、前記処理部は、前記所定エリアの図面を表示するとともに、前記図面における対応位置に１または複数の前記センサのアイコンを表示する処理を行い、前記比較結果に応じて前記アイコンの表示態様を変更する。
【００５５】
このように、所定エリアの状態のレベルをアイコンの表示態様に反映させる構成により、ユーザは、図面上に表示されたアイコンを視認することで、所定エリアの状態のレベルの変化を迅速かつ正しく認識することができる。
【００５６】
（１４）好ましくは、前記処理部は、前記所定エリアに関する報知処理を行い、前記比較結果に応じて報知先の範囲を変更する。
【００５７】
このように、所定エリアの状態のレベルに応じて報知先の範囲を変更する構成により、報知をより効果的に行うすることができるので、たとえば報知を受ける関係者の作業量を軽減することができる。
【００５８】
（１５）好ましくは、前記処理部は、前記所定エリアに関する報知処理を行い、前記比較結果に応じて報知内容を変更する。
【００５９】
このように、所定エリアの状態のレベルに応じて報知内容を変更する構成により、報知を受ける関係者は、所定エリアの状態のレベルを容易に認識することができる。
【００６０】
（１６）好ましくは、前記処理部は、機器の動作を制御可能であり、前記比較結果に応じて制御対象の前記機器を変更する。
【００６１】
このように、所定エリアの状態のレベルに応じて機器を変更する構成により、所定状態のレベルに応じた適切な機器を動作させることができる。
【００６２】
（１７）好ましくは、前記処理部は、機器の動作を制御可能であり、前記比較結果に応じて前記機器の動作内容を変更する。
【００６３】
このように、所定エリアの状態のレベルに応じて機器の動作内容を変更する構成により、所定状態のレベルに応じた適切な動作内容で機器を動作させることができる。
【００６４】
（１８）好ましくは、前記複数のしきい値は、上限しきい値および下限しきい値を含み、前記処理部は、前記センサ情報の示す値が前記上限しきい値を上回った場合と、前記値が前記下限しきい値を下回った場合とで異なる処理を行う。
【００６５】
このような構成により、所定エリアの状態が、たとえば標準レベルの状態から上のレベルの状態へ遷移するか、または標準レベルの状態から下のレベルの状態へ遷移するかに応じて適切な処理を行うことができる。
【００６６】
（１９）本発明の実施の形態に係るセンサ情報処理装置は、所定エリアに配置された複数のセンサから無線送信されるセンサ情報を取得する取得部と、前記取得部によって取得された前記センサ情報が所定条件を満たす前記センサの数に応じて異なる処理を行う処理部とを備える。
【００６７】
このような構成により、異常なセンサ情報を送信するセンサの個数に基づいて、たとえば、工場等の所定エリアにおける異常領域の大きさを認識することができるので、認識した大きさに応じて適切な処理を行うことができる。したがって、所定エリアの監視に関する優れた機能を提供することができる。
【００６８】
（２０）本発明の実施の形態に係るセンサ情報処理装置は、所定エリアに配置された複数のセンサから無線送信されるセンサ情報を取得する取得部と、機器の動作を制御可能な処理部とを備え、前記取得部は、さらに、前記センサと前記機器とを対応付ける操作を示す操作情報を取得し、前記処理部は、前記取得部によって取得された前記操作情報に基づいて、前記取得部によって取得された前記センサ情報が所定条件を満たす前記センサに対応する前記機器を起動するか、または所定の動作を行わせる。
【００６９】
このような構成により、たとえば、工場に配置されたセンサの周囲の状態が変化することでセンサ情報が所定条件を満たす場合に制御すべき機器とセンサとを対応付ける構成により、センサ情報が所定条件を満たす場合において、適切な機器を適切に制御することができる。したがって、所定エリアの監視に関する優れた機能を提供することができる。
【００７０】
（２１）本発明の実施の形態に係るセンサ情報処理装置は、センサ情報を無線伝送によりブロードキャストする複数のセンサについて、前記センサに関する判別用情報を取得する取得部と、前記取得部によって取得された前記判別用情報が所定条件を満たす前記センサを他の前記センサと識別可能に表示する処理を行う処理部とを備える。
【００７１】
このように、たとえば、取得すべきセンサ情報を送信するセンサを、取得すべきでないセンサ情報を送信するセンサと識別可能に表示する構成により、ユーザは、複数のセンサのうちの、センサ情報の取得対象のセンサを迅速かつ正しく認識することができる。したがって、所定エリアの監視に関する優れた機能を提供することができる。
【００７２】
（２２）本発明の実施の形態に係るセンサ情報処理装置は、センサ情報を無線伝送によりブロードキャストする複数のセンサについて、前記センサに関する判別用情報を取得し、かつ前記センサ情報を取得する取得部と、前記取得部によって取得された前記判別用情報が所定条件を満たすか否かに応じて、対応の前記センサから取得した前記センサ情報に基づく情報を保存するか否かを決定する処理を行う処理部とを備える。
【００７３】
このような構成により、複数のセンサのうちの、保存対象でないセンサ情報を送信するセンサ、および保存対象のセンサ情報を送信するセンサを自動的に識別することができる。したがって、所定エリアの監視に関する優れた機能を提供することができる。
【００７４】
（２３）好ましくは、前記判別用情報は、前記センサの識別情報を含み、前記所定条件は、前記センサの識別情報が登録されていることを含む。
【００７５】
このような構成により、たとえば、センサの識別情報が登録されているか否かに基づいて、取得対象または保存対象のセンサ情報を送信するセンサと他のセンサとを容易に識別することができる。
【００７６】
（２４）より好ましくは、前記取得部は、前記センサから送信される無線信号を受信する無線装置経由で前記センサ情報を取得し、前記判別用情報は、前記無線装置の識別情報を含み、前記所定条件は、前記無線装置の識別情報が登録されていることを含む。
【００７７】
このような構成により、たとえば、無線装置の識別情報が登録されているか否かに基づいて、取得対象または保存対象のセンサ情報を中継する無線装置と他の無線装置とを容易に識別することができる。
【００７８】
（２５）より好ましくは、前記判別用情報は、前記センサの通信プロトコルのバージョンを含み、前記所定条件は、前記バージョンが登録されていることを含む。
【００７９】
このような構成により、たとえば、センサの通信プロトコルのバージョンが登録されているか否かに基づいて、取得対象または保存対象のセンサ情報を送信するセンサと他のセンサとを容易に識別することができる。
【００８０】
（２６）本発明の実施の形態に係るセンサ情報処理装置は、所定エリアに配置された複数のセンサから無線送信されるセンサ情報を取得する取得部と、前記センサの状態情報を表示する処理を行う処理部とを備え、前記処理部は、前記取得部によって取得された前記センサ情報に基づいて、前記センサ情報に異常が生じた旨を示す前記状態情報を表示し、その後、前記状態情報を確認する操作が行われた場合、前記状態情報の表示態様を変更する。
【００８１】
このように、センサ情報の異常を表示し、異常の確認後に表示態様を変更する構成により、ユーザは、状態情報の内容を視認することで、確認済みの異常と比べて、未確認の異常をより容易に認識することができるので、工場等の所定エリアの状態を迅速かつ正しく認識することができる。したがって、所定エリアの監視に関する優れた機能を提供することができる。これにより、ユーザは、たとえば所定エリアの状態に適した処理を行うことができる。
【００８２】
（２７）本発明の実施の形態に係るセンサ情報処理装置は、所定エリアに配置された複数のセンサから無線送信されるセンサ情報を取得する取得部と、前記取得部によって取得された前記センサ情報に基づいて、前記センサの電池残量に関する計測結果の履歴を表示する処理を行う処理部とを備える。
【００８３】
このような構成により、ユーザは、センサの電池残量に関する計測結果の履歴を視認することで、センサの電池残量の時間変化を迅速かつ正しく認識することができる。これにより、ユーザは、電池の放電特性および電池交換のタイミング等を容易に認識することができる。したがって、所定エリアの監視に関する優れた機能を提供することができる。
【００８４】
（２８）本発明の実施の形態に係るセンサ情報処理装置は、所定エリアに配置された複数のセンサから無線送信されるセンサ情報を取得する取得部と、前記センサから送信される無線信号に関する計測結果の履歴を表示する処理を行う処理部とを備える。
【００８５】
このような構成により、ユーザは、センサから送信される無線信号に関する計測結果の履歴を視認することで、無線通信の通信状況の時間変化を迅速かつ正しく認識することができる。これにより、ユーザは、通信障害の原因、たとえば、工場において電波障害を発生させるクレーンの移動があったことを容易に認識することができる。したがって、所定エリアの監視に関する優れた機能を提供することができる。
【００８６】
（２９）好ましくは、前記取得部は、前記センサから送信される無線信号を受信する無線装置経由で前記センサ情報を取得し、前記処理部は、１つの前記センサから送信される無線信号の複数の前記無線装置による計測結果を表示する処理を行う。
【００８７】
このような構成により、ユーザは、複数の通信ルートについての計測結果の履歴を迅速かつ正しく認識することができるので、所定エリアにおいて、冗長性を確保するためのセンサおよび無線装置の適切な配置を構築することができる。
【００８８】
（３０）本発明の実施の形態に係る処理プログラムは、センサ情報処理装置において用いられる処理プログラムであって、コンピュータを、所定エリアに配置された複数のセンサから無線送信されるセンサ情報を取得する取得部と、前記所定エリアの図面を表示する処理を行う処理部と、として機能させるためのプログラムであり、前記処理部は、前記取得部によって取得された前記センサ情報に基づく、前記複数のセンサのうちの一部または全部の前記センサのアイコンを、前記図面における対応位置に同時に表示する処理を行う。
【００８９】
このような構成により、ユーザは、図面上に表示されたアイコンを視認することで、アイコンの示すセンサから送信されたセンサ情報の内容を認識することができるので、工場等の所定エリアの状態を迅速かつ正しく認識することができる。したがって、所定エリアの監視に関する優れた機能を提供することができる。これにより、ユーザは、たとえば所定エリアの状態に適した処理を行うことができる。
【００９０】
（３１）本発明の実施の形態に係る処理プログラムは、センサ情報処理装置において用いられる処理プログラムであって、コンピュータを、所定エリアに配置された複数のセンサから無線送信されるセンサ情報を取得する取得部と、前記所定エリアの図面を表示する処理を行う処理部と、として機能させるためのプログラムであり、前記取得部は、前記センサから送信される無線信号を受信する無線装置経由で前記センサ情報を取得し、前記無線装置による前記無線信号の計測結果を取得し、前記処理部は、前記取得部によって取得された前記計測結果に基づく、前記複数のセンサのうちの一部または全部の前記センサのアイコンを、前記図面における対応位置に同時に表示する処理を行う。
【００９１】
このような構成により、ユーザは、図面上に表示されたアイコンを視認することで、計測結果の内容を認識することができるので、工場等の所定エリアにおける電波状態を迅速かつ正しく認識することができる。したがって、所定エリアの監視に関する優れた機能を提供することができる。これにより、ユーザは、たとえば所定エリアの電波状態に適した処理を行うことができる。
【００９２】
（３２）本発明の実施の形態に係る処理プログラムは、センサ情報処理装置において用いられる処理プログラムであって、コンピュータを、所定エリアに配置された複数のセンサから無線送信されるセンサ情報を取得する取得部と、前記取得部によって取得された前記センサ情報の示す値と複数のしきい値とを比較し、比較結果に応じて異なる処理を行う処理部と、として機能させるためのプログラムである。
【００９３】
このような構成により、工場等の所定エリアの状態を少なくとも３つのレベルで表すことができるので、ユーザは、たとえばレベルに応じた適切な処理を行うことができる。したがって、所定エリアの監視に関する優れた機能を提供することができる。
【００９４】
（３３）本発明の実施の形態に係る処理プログラムは、センサ情報処理装置において用いられる処理プログラムであって、コンピュータを、所定エリアに配置された複数のセンサから無線送信されるセンサ情報を取得する取得部と、前記取得部によって取得された前記センサ情報が所定条件を満たす前記センサの数に応じて異なる処理を行う処理部と、として機能させるためのプログラムである。
【００９５】
このような構成により、異常なセンサ情報を送信するセンサの個数に基づいて、たとえば、工場等の所定エリアにおける異常領域の大きさを認識することができるので、認識した大きさに応じて適切な処理を行うことができる。したがって、所定エリアの監視に関する優れた機能を提供することができる。
【００９６】
（３４）本発明の実施の形態に係る処理プログラムは、センサ情報処理装置において用いられる処理プログラムであって、コンピュータを、所定エリアに配置された複数のセンサから無線送信されるセンサ情報を取得する取得部と、機器の動作を制御可能な処理部と、として機能させるためのプログラムであり、前記取得部は、さらに、前記センサと前記機器とを対応付ける操作を示す操作情報を取得し、前記処理部は、前記取得部によって取得された前記操作情報に基づいて、前記取得部によって取得された前記センサ情報が所定条件を満たす前記センサに対応する前記機器を起動するか、または所定の動作を行わせる。
【００９７】
このような構成により、たとえば、工場に配置されたセンサの周囲の状態が変化することでセンサ情報が所定条件を満たす場合に制御すべき機器とセンサとを対応付ける構成により、センサ情報が所定条件を満たす場合において、適切な機器を適切に制御することができる。したがって、所定エリアの監視に関する優れた機能を提供することができる。
【００９８】
（３５）本発明の実施の形態に係る処理プログラムは、センサ情報処理装置において用いられる処理プログラムであって、コンピュータを、センサ情報を無線伝送によりブロードキャストする複数のセンサについて、前記センサに関する判別用情報を取得する取得部と、前記取得部によって取得された前記判別用情報が所定条件を満たす前記センサを他の前記センサと識別可能に表示する処理を行う処理部と、として機能させるためのプログラムである。
【００９９】
このように、たとえば、取得すべきセンサ情報を送信するセンサを、取得すべきでないセンサ情報を送信するセンサと識別可能に表示する構成により、ユーザは、複数のセンサのうちの、センサ情報の取得対象のセンサを迅速かつ正しく認識することができる。したがって、所定エリアの監視に関する優れた機能を提供することができる。
【０１００】
（３６）本発明の実施の形態に係る処理プログラムは、センサ情報処理装置において用いられる処理プログラムであって、コンピュータを、センサ情報を無線伝送によりブロードキャストする複数のセンサについて、前記センサに関する判別用情報を取得し、かつ前記センサ情報を取得する取得部と、前記取得部によって取得された前記判別用情報が所定条件を満たすか否かに応じて、対応の前記センサから取得した前記センサ情報に基づく情報を保存するか否かを決定する処理を行う処理部と、として機能させるためのプログラムである。
【０１０１】
このような構成により、複数のセンサのうちの、保存対象でないセンサ情報を送信するセンサ、および保存対象のセンサ情報を送信するセンサを自動的に識別することができる。したがって、所定エリアの監視に関する優れた機能を提供することができる。
【０１０２】
（３７）本発明の実施の形態に係る処理プログラムは、センサ情報処理装置において用いられる処理プログラムであって、コンピュータを、所定エリアに配置された複数のセンサから無線送信されるセンサ情報を取得する取得部と、前記センサの状態情報を表示する処理を行う処理部と、として機能させるためのプログラムであり、前記処理部は、前記取得部によって取得された前記センサ情報に基づいて、前記センサ情報に異常が生じた旨を示す前記状態情報を表示し、その後、前記状態情報を確認する操作が行われた場合、前記状態情報の表示態様を変更する。
【０１０３】
このように、センサ情報の異常を表示し、異常の確認後に表示内容を変更する構成により、ユーザは、状態情報の内容を視認することで、確認済みの異常と比べて、未確認の異常をより容易に認識することができるので、工場等の所定エリアの状態を迅速かつ正しく認識することができる。したがって、所定エリアの監視に関する優れた機能を提供することができる。これにより、ユーザは、たとえば所定エリアの状態に適した処理を行うことができる。
【０１０４】
（３８）本発明の実施の形態に係る処理プログラムは、センサ情報処理装置において用いられる処理プログラムであって、コンピュータを、所定エリアに配置された複数のセンサから無線送信されるセンサ情報を取得する取得部と、前記取得部によって取得された前記センサ情報に基づいて、前記センサの電池残量に関する計測結果の履歴を表示する処理を行う処理部と、として機能させるためのプログラムである。
【０１０５】
このような構成により、ユーザは、センサの電池残量に関する計測結果の履歴を視認することで、センサの電池残量の時間変化を迅速かつ正しく認識することができる。これにより、ユーザは、電池の放電特性および電池交換のタイミング等を容易に認識することができる。したがって、所定エリアの監視に関する優れた機能を提供することができる。
【０１０６】
（３９）本発明の実施の形態に係る処理プログラムは、センサ情報処理装置において用いられる処理プログラムであって、コンピュータを、所定エリアに配置された複数のセンサから無線送信されるセンサ情報を取得する取得部と、前記センサから送信される無線信号に関する計測結果の履歴を表示する処理を行う処理部と、として機能させるためのプログラムである。
【０１０７】
このような構成により、ユーザは、センサから送信される無線信号に関する計測結果の履歴を視認することで、無線通信の通信状況の時間変化を迅速かつ正しく認識することができる。これにより、ユーザは、通信障害の原因、たとえば、工場において電波障害を発生させるクレーンの移動があったことを容易に認識することができる。したがって、所定エリアの監視に関する優れた機能を提供することができる。
【０１０８】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【０１０９】
＜第１の実施の形態＞
［構成および基本動作］
図１は、本発明の第１の実施の形態に係るセンサ情報処理システムの構成を示す図である。
【０１１０】
図１を参照して、センサ情報処理システム３０１は、複数のセンサ１と、センサ情報処理装置１０１とを備える。
【０１１１】
図２は、本発明の第１の実施の形態に係るセンサ情報処理システムにおけるセンサが設けられた工場の一例を示す図である。図２には、事業者の工場５たとえば「第１工場」を上方から見た図が示される。
【０１１２】
図１および図２を参照して、たとえば工場において、複数のセンサ１が設けられる。この例では、工場５において、２つのアクセスポイント１５１と、５つのセンサ１とが設けられる。また、センサ１は、工場５以外の図示しない工場にも設けられる。工場５における設備Ａ、Ｂ、ＣおよびＤに設置されるセンサ１の個数は、それぞれ２つ、１つ、１つおよび１つである。なお、工場５において、４つ以下または６つ以上のセンサ１が設けられてもよい。センサ情報処理システム３０１では、各工場における設備または環境等に関する情報の収集が行われる。
【０１１３】
センサ１は、各工場における設備に設置され、計測対象、具体的には各工場に設置されている設備の状態および環境、ならびに自己の動作状態に関する計測を行う。
【０１１４】
表示装置１３１およびセンサ情報処理装置１０１は、たとえば工場５の外部に位置する図示しない事務所に設けられている。
【０１１５】
センサ１は、たとえば、設備または環境の温度および湿度、設備の近傍に設置された導線を流れる電流、赤外線照度に基づく非接触温度ならびに自己の電源として用いる電池の電圧を計測する。なお、センサ１は、温度、湿度、電流および非接触温度ならびに電池電圧以外にも、濃度、加速度、ジャイロおよび圧力等を計測する構成であってもよい。
【０１１６】
また、センサ１は、センサ素子および自己の動作等の異常を検出することが可能である。センサ１は、たとえば所定時間ごとに計測を行うとともに、異常についての判定を行う。
【０１１７】
センサ１は、計測および判定を行うと、センサ１の計測対象に関する計測結果、センサ１の電池残量に関する計測結果、およびセンサ１の異常に関する判定結果とセンサ１に関する判別用情報とを含むセンサ情報を作成する。
【０１１８】
より詳細には、センサ１は、センサ１の計測対象に関する計測結果の一例である温度、湿度、電流および非接触温度を示す計測情報と、電池に関する計測結果の一例である電池電圧を示すメンテナンス情報と、センサ１の異常に関する判定結果の一例である異常についての判定結果を示すステータス情報とを作成する。また、センサ１は、計測時刻を示す計測時刻情報を作成する。また、センサ１は、センサ１に関する判別用情報の一例である、自己のＩＤを示すセンサ識別情報および自己の用いる通信プロトコルのバージョンを示すバージョン情報を作成する。
【０１１９】
そして、センサ１は、作成した計測情報、メンテナンス情報、ステータス情報、計測時刻情報、センサ識別情報およびバージョン情報を含むセンサ情報を作成する。
【０１２０】
センサ１は、作成したセンサ情報をたとえばブロードキャストすることにより、センサ情報をアクセスポイント１５１へ送信する。
【０１２１】
アクセスポイント１５１は、センサ１から送信される無線信号を受信する無線装置である。より詳細には、アクセスポイント１５１は、センサ１からセンサ情報を受信すると、受信したセンサ情報を中継して内部ネットワーク１１経由でセンサ情報処理装置１０１へ送信する。
【０１２２】
より詳細には、アクセスポイント１５１は、センサ１からセンサ情報を受信する際、無線信号の計測結果の一例である、当該無線信号の品質を示す受信時のＬＱＩ（Ｌｉｎｋ  Ｑｕａｌｉｔｙ  Ｉｎｄｉｃａｔｉｏｎ）を計測する。
【０１２３】
アクセスポイント１５１は、受信したセンサ情報に、計測したＬＱＩを示すＬＱＩ情報、および判別用情報の一例である自己のＩＤを示すＡＰ識別情報を含めた後、センサ情報を内部ネットワーク１１経由でセンサ情報処理装置１０１へ送信する。ここで、アクセスポイント１５１およびセンサ情報処理装置１０１間の通信は、有線で行われてもよいし、無線で行われてもよい。
【０１２４】
また、センサ情報はセンサ１からブロードキャストされるので、複数のアクセスポイント１５１が、同じセンサ情報を受信し、受信したセンサ情報をセンサ情報処理装置１０１へ送信することがある。すなわち、センサ情報処理装置１０１は、同じ計測時刻情報およびセンサ識別情報を含む複数のセンサ情報をそれぞれ異なるアクセスポイント１５１から受信することがある。この場合、当該複数のセンサ情報の各々に含まれるＬＱＩ情報およびＡＰ識別情報は異なる。
【０１２５】
［センサ情報処理装置］
図３は、本発明の第１の実施の形態に係る機器管理システムにおけるセンサ情報処理装置の構成を示す図である。
【０１２６】
図３を参照して、センサ情報処理装置１０１は、受信部（取得部）２１と、記憶部２２と、受付部２３と、処理部３１とを備える。
【０１２７】
受信部２１は、所定エリアに配置された複数のセンサ１から無線送信されるセンサ情報を取得する。また、受信部２１は、センサ情報を無線伝送によりブロードキャストする複数のセンサ１について、センサ１に関する判別用情報を取得する。
【０１２８】
より詳細には、受信部２１は、各工場に配置された複数のセンサ１からアクセスポイント１５１経由でセンサ情報を受信すると、受信したセンサ情報を処理部３１へ出力する。
【０１２９】
処理部３１は、受信部２１からセンサ情報を受けると、受けたセンサ情報を処理する。
【０１３０】
受付部２３は、マウスおよびキーボード等の入力機器であり、ユーザが表示装置１３１に表示された画面に対して行った操作を受け付け、受け付けた操作内容を示す操作情報を作成して処理部３１へ出力する。
【０１３１】
処理部３１は、受付部２３から操作情報を受けると、受けた操作情報に従って画面情報を作成し、作成した画面情報に基づいて画面を表示する制御、より詳細には当該画面を表示装置１３１に表示する制御を行う。
【０１３２】
［センサの登録時における画面の遷移］
図４〜図９は、本発明の第１の実施の形態に係るセンサ情報処理システムにおいて、表示装置に表示された画面の一例を示す図である。図４には、センサ１が登録されていない場合において、表示装置１３１に表示される画面Ｓｃが示される。
【０１３３】
図４に示す画面Ｓｃには、図面の一例であるマップを示す画面が示され、マップおよびセンサアイコンを表示するための領域Ｒｇ１と、グループリストを表示するための領域Ｒｇ２と、センサ１の計測結果についてのエラー情報を表示するための領域Ｒｇ３とが含まれる。ユーザは、たとえばグループを登録するために、ボタンＢｔ２をクリックする。
【０１３４】
図５には、ボタンＢｔ２のクリックに応答して表示される管理画面が示される。管理画面は、ポップアップ形式で表示され、ボタンＢｔ４３がクリックされることにより閉じられる。
【０１３５】
図５には、グループおよびマップを登録するための画面Ｓｃｐが示される。図５に示す画面Ｓｃｐには、管理メニューを表示するための領域Ｒｇ４と、登録されているグループを表示するための領域Ｒｇ５と、グループおよびマップを登録または編集するための領域Ｒｇ６とが含まれる。
【０１３６】
ユーザは、領域Ｒｇ４における「グループ管理」を示すメニューアイテムＩｔ１をクリックすることにより「グループ設定」を示すリンクＬｋ１を表示させた後、リンクＬｋ１をクリックする。
【０１３７】
図５に示す領域Ｒｇ５は、ユーザによるリンクＬｋ１のクリックに応答して表示される。この例では、「大阪工場」がグループとして登録されている。
【０１３８】
ユーザは、図２に示す工場５をグループとして登録するために、ボタンＢｔ３をクリックする。図５に示す領域Ｒｇ６は、ユーザによるボタンＢｔ３のクリックに応答して表示される。
【０１３９】
なお、図５に示す画面Ｓｃｐでは、領域Ｒｇ５に表示される「大阪工場」をクリックすることにより、「大阪工場」についての登録内容を編集することが可能である。
【０１４０】
ユーザは、工場５のグループＩＤおよび名称として、「００００００１」および「第１工場」をテキストボックスＴＢ１およびＴＢ２にそれぞれ入力する操作を行う。
【０１４１】
また、ユーザは、「第１工場」を「大阪工場」の子グループとして登録する操作を行う。より詳細には、ドロップダウンリストＤＬ１は、リストを有しており、当該リストには、領域Ｒｇ５に表示される登録済のグループがリストアイテムとして含まれる。ユーザは、リストアイテムのうち、「大阪工場」を示すリストアイテムを選択する操作をドロップダウンリストＤＬ１に対して行う。
【０１４２】
また、ユーザは、工場５のマップを登録する操作を行う。より詳細には、ユーザは、ボタンＢｔ４をクリックすることにより、図示しないダイアログボックスを表示させ、工場５のマップを示す画像ファイルのファイルパスを当該ダイアログボックスに入力する操作を行う。図５に示す画面Ｓｃｐでは、この操作により、当該画像ファイルの示す画像Ｉｍｇ１が領域Ｒｇ６に表示される。
【０１４３】
ボタンＢｔ５がユーザによりクリックされると、「第１工場」についての登録内容が保存される。
【０１４４】
図６には、センサ１を登録するための画面Ｓｃｐが示される。図６に示す画面Ｓｃｐには、上述の領域Ｒｇ４と、登録可能なセンサ１を含む無視センサリストＬｔ１を表示するための領域Ｒｇ７とが含まれる。無視センサリストＬｔ１の詳細については後述する。
【０１４５】
ユーザは、たとえばセンサ１を登録するために領域Ｒｇ４における「センサ管理」を示すメニューアイテムＩｔ２をクリックすることにより「センサ登録」を示すリンクＬｋ２を表示させた後、リンクＬｋ２をクリックする。
【０１４６】
図６に示す領域Ｒｇ７は、ユーザによるリンクＬｋ２のクリックに応答して表示される。この例では、無視センサリストＬｔ１には、「１２３４５６７８９０」のセンサ１のＩＤを示すリストアイテムが含まれる。
【０１４７】
ボタンＢｔ７がユーザによりクリックされると、対応のリストアイテムの示すＩＤ、この例では「１２３４５６７８９０」のＩＤを有するセンサ１が登録される。そして、「１２３４５６７８９０」のＩＤを有するセンサ１は、図５に示す「未設定」のグループに属するセンサ１として登録される。
【０１４８】
図７には、センサ１が所属するグループを変更するための画面Ｓｃｐが示される。図７に示す画面Ｓｃｐには、上述の領域Ｒｇ４，Ｒｇ５と、センサ１の所属先を変更するための領域Ｒｇ８とが含まれる。
【０１４９】
ユーザは、領域Ｒｇ４における「グループ管理」を示すメニューアイテムＩｔ１をクリックすることにより「所属センサ設定」を示すリンクＬｋ３を表示させた後、リンクＬｋ３をクリックする。
【０１５０】
図７に示す領域Ｒｇ５，Ｒｇ８は、ユーザによるリンクＬｋ３のクリックに応答して表示される。
【０１５１】
領域Ｒｇ８では、グループを選択するためのドロップダウンリストＤＬ２，ＤＬ３、および対応のリストＬｔ２，Ｌｔ３が表示される。
【０１５２】
ドロップダウンリストＤＬ２，ＤＬ３は、リストを有しており、当該リストには、領域Ｒｇ５に表示された登録済の各グループを示すリストアイテムが含まれる。
【０１５３】
たとえば、「未設定」のグループに属するセンサ１の所属先を「第１工場」のグループに変更する場合、ユーザは、「未設定」を示すリストアイテムを選択する操作をドロップダウンリストＤＬ２に対して行うとともに、「第１工場」を示すリストアイテムを選択する操作をドロップダウンリストＤＬ３に対して行う。
【０１５４】
なお、ユーザは、「第１工場」を示すリストアイテムを選択する操作をドロップダウンリストＤＬ２に対して行うとともに、「未設定」を示すリストアイテムを選択する操作をドロップダウンリストＤＬ３に対して行ってもよい。
【０１５５】
リストＬｔ２およびＬｔ３では、ユーザによるドロップダウンリストＤＬ２およびＤＬ３に対する操作にそれぞれ応答して、「未設定」のグループに属する各センサ１のＩＤを示すリストアイテム、および「第１工場」のグループに属する各センサ１のＩＤを示すリストアイテムが表示される。
【０１５６】
ユーザは、ボタンＢｔ９をクリックすることにより、リストＬｔ２に表示されたすべてのリストアイテムをリストＬｔ３に移動させることが可能である。同様に、ユーザは、ボタンＢｔ１２をクリックすることにより、リストＬｔ３に表示されたすべてのリストアイテムをリストＬｔ２に移動させることが可能である。
【０１５７】
また、ユーザは、ボタンＢｔ１０をクリックすることにより、リストＬｔ２において選択されたリストアイテムをリストＬｔ３に移動させることが可能である。同様に、ユーザは、ボタンＢｔ１１をクリックすることにより、リストＬｔ３において選択されたリストアイテムをリストＬｔ２に移動させることが可能である。
【０１５８】
ボタンＢｔ８がユーザによりクリックされると、リストＬｔ２に表示されたリストアイテムの示すＩＤを有するセンサ１は、ドロップダウンリストＤＬ２において選択されたグループの所属として登録されるとともに、リストＬｔ３に表示されたリストアイテムの示すＩＤを有するセンサ１は、ドロップダウンリストＤＬ３において選択されたグループの所属として登録される。
【０１５９】
図８には、センサ１の複数のしきい値のパターン（以下、パターンＴｈとも称する。）を登録するための画面Ｓｃｐが示される。図８に示す画面Ｓｃｐには、上述の領域Ｒｇ４と、登録されたパターンＴｈを表示するためのリンクを含むリストＬｔ４を表示するための領域Ｒｇ９とが含まれる。
【０１６０】
ユーザは、たとえば新たなパターンＴｈを登録するために領域Ｒｇ４における「センサ管理」を示すメニューアイテムＩｔ２をクリックすることにより「しきい値設定」を示すリンクＬｋ４を表示させた後、リンクＬｋ４をクリックする。
【０１６１】
図８に示す領域Ｒｇ９は、ユーザによるリンクＬｋ４のクリックに応答して表示される。リストＬｔ４では、リンクＬｋ５を示すリストアイテムが表示される。ユーザは、新たなパターンＴｈを登録するためにボタンＢｔ１３をクリックする。
【０１６２】
なお、リンクＬｋ５をクリックすることにより、「アプリ共通」の名称を有するパターンＴｈについての登録内容を編集することが可能である。
【０１６３】
図９には、センサ１の複数のしきい値のパターンを登録するための画面Ｓｃｐが示される。図９に示す画面Ｓｃｐには、上述の領域Ｒｇ４と、パターンＴｈの内容を登録するための領域Ｒｇ１０とが含まれる。
【０１６４】
ユーザは、新たに登録するパターンＴｈの名称として、「ｔｅｓｔ１」をテキストボックスＴＢ３に入力する操作を行う。
【０１６５】
また、ユーザは、「温度」、「湿度」、「非接触温度」および「電流」に対応するしきい値を入力欄Ｓｅｃ１、Ｓｅｃ２、Ｓｅｃ３およびＳｅｃ４にそれぞれ入力する。以下、入力欄Ｓｅｃ１、Ｓｅｃ２、Ｓｅｃ３およびＳｅｃ４の各々を、入力欄Ｓｅｃとも称する。
【０１６６】
図１０は、本発明の第１の実施の形態に係るセンサ情報処理システムにおいて、表示装置の画面に表示される入力欄を説明するための図である。
【０１６７】
図１０を参照して、入力欄Ｓｅｃには、「警告上限」、「注意上限」、「注意下限」および「警告下限」にそれぞれ対応するボックスＢｘ１、Ｂｘ２、Ｂｘ３およびＢｘ４が含まれる。
【０１６８】
ボックスＢｘ１およびＢｘ４は、たとえば赤色で表示される。また、ボックスＢｘ２およびＢｘ３は、たとえば黄色で表示される。
【０１６９】
ボックスＢｘ１には、テキストボックスＴＢ４およびボタンＢｔ１５，Ｂｔ１６が含まれる。ユーザは、計測対象の警告上限を示すしきい値をテキストボックスＴＢ４に入力する操作を行う。また、ユーザは、ボタンＢｔ１５またはＢｔ１６を操作することにより、テキストボックスＴＢ４に表示された値をそれぞれ所定量増加させたり減少させたりすることが可能である。
【０１７０】
ボックスＢｘ２には、テキストボックスＴＢ５およびボタンＢｔ１７，Ｂｔ１８が含まれる。ユーザは、計測対象の注意上限を示すしきい値をテキストボックスＴＢ５に入力する操作を行う。また、ユーザは、ボタンＢｔ１７またはＢｔ１８を操作することにより、テキストボックスＴＢ５に表示された値をそれぞれ所定量増加させたり減少させたりすることが可能である。
【０１７１】
ボックスＢｘ３には、テキストボックスＴＢ６およびボタンＢｔ１９，Ｂｔ２０が含まれる。ユーザは、計測対象の注意下限を示すしきい値をテキストボックスＴＢ６に入力する操作を行う。また、ユーザは、ボタンＢｔ１９またはＢｔ２０を操作することにより、テキストボックスＴＢ６に表示された値をそれぞれ所定量増加させたり減少させたりすることが可能である。
【０１７２】
ボックスＢｘ４には、テキストボックスＴＢ７およびボタンＢｔ２１，Ｂｔ２２が含まれる。ユーザは、計測対象の警告下限を示すしきい値をテキストボックスＴＢ７に入力する操作を行う。また、ユーザは、ボタンＢｔ２１またはＢｔ２２を操作することにより、テキストボックスＴＢ７に表示された値をそれぞれ所定量増加させたり減少させたりすることが可能である。
【０１７３】
再び図９を参照して、ボタンＢｔ１４がユーザによりクリックされると、「温度」、「湿度」、「非接触温度」および「電流」にそれぞれ対応する各しきい値のパターンが「ｔｅｓｔ１」の名称で登録される。
【０１７４】
図１１および図１２は、本発明の第１の実施の形態に係るセンサ情報処理システムにおいて、表示装置に表示された画面の一例を示す図である。
【０１７５】
図１１には、設定の編集対象のセンサ１を検索するための画面Ｓｃｐが示される。図１１に示す画面Ｓｃｐには、上述の領域Ｒｇ４と、編集対象のセンサ１を検索および選択するための領域Ｒｇ１１とが含まれる。
【０１７６】
ユーザは、領域Ｒｇ４における「センサ管理」を示すメニューアイテムＩｔ２をクリックすることにより「センサ設定」を示すリンクＬｋ６を表示させた後、リンクＬｋ６をクリックする。
【０１７７】
図１１に示す領域Ｒｇ１１は、ユーザによるリンクＬｋ６のクリックに応答して表示される。
【０１７８】
領域Ｒｇ１１では、編集対象のセンサ１が属するグループを選択するためのドロップダウンリストＤＬ４、および編集対象のセンサ１の名称を入力するためのテキストボックスＴＢ８が表示される。
【０１７９】
ドロップダウンリストＤＬ４は、リストを有しており、当該リストには、登録済のグループがリストアイテムとして含まれる。ユーザは、編集対象のセンサ１が属するグループを示すリストアイテムを選択する操作をドロップダウンリストＤＬ２に対して行うか、または編集対象のセンサ１の名称をテキストボックスＴＢ８に入力する操作を行った後、ボタンＢｔ２３をクリックする。
【０１８０】
領域Ｒｇ１１におけるリストＬｔ５では、ユーザによるボタンＢｔ２３のクリックに応答して、検索条件を満たすセンサ１の所属グループまたは名称がリストアップされる。この例では、「００１ｄ１２９００００３６ｃｂｆ」の名称を有するセンサ１がリストＬｔ５にリストアップされる。
【０１８１】
ユーザは、リストＬｔ５における「００１ｄ１２９００００３６ｃｂｆ」を示すリンクＬｋ７をクリックすることにより、「００１ｄ１２９００００３６ｃｂｆ」の名称を有するセンサ１の設定を編集することが可能である。
【０１８２】
図１２には、センサ１の設定を個別に編集するための画面Ｓｃｐが示される。図１２に示す画面Ｓｃｐには、上述の領域Ｒｇ４と、対象のセンサ１の設定を個別に編集するための領域Ｒｇ１２とが含まれる。
【０１８３】
図１２に示す領域Ｒｇ１２は、ユーザによるリンクＬｋ７のクリックに応答して表示される。
【０１８４】
領域Ｒｇ１２では、「センサＩＤ」、センサ１の「名前」およびセンサ１の「説明」をそれぞれ表示するためのテキストボックスＴＢ９、ＴＢ１０およびＴＢ１１が表示される。テキストボックスＴＢ１０に入力される文字列は、たとえば図１１に示すセンサ１の検索条件に用いられる。また、テキストボックスＴＢ９は、たとえば編集不可に設定されている。
【０１８５】
また、領域Ｒｇ１２では、「ＡＰ−ＩＤ」すなわちセンサ情報を中継したアクセスポイント１５１のＩＤ、センサ１の現在の「ステータス」およびセンサ１の「最終計測日時」がそれぞれ表示される。
【０１８６】
また、領域Ｒｇ１２では、センサ１が属するグループを選択するためのドロップダウンリストＤＬ５が表示される。ドロップダウンリストＤＬ５は、リストを有しており、当該リストには、登録済のグループがリストアイテムとして含まれる。ユーザは、ドロップダウンリストＤＬ５を操作することでもセンサ１の所属先のグループを設定することが可能である。
【０１８７】
また、領域Ｒｇ１２には、パターンＴｈを選択するためのドロップダウンリストＤＬ６が表示される。ドロップダウンリストＤＬ６は、リストを有しており、当該リストには、図９に示す画面Ｓｃｐにおいて登録されたパターンＴｈの名称がリストアイテムとして含まれる。
【０１８８】
「ｔｅｓｔ１」を選択する操作がユーザによりドロップダウンリストＤＬ６に対して行われると、図９に示す入力欄Ｓｅｃ１〜Ｓｅｃ４を用いて登録された各しきい値が、図１２に示す入力欄Ｓｅｃ５〜Ｓｅｃ８にそれぞれ表示される。
【０１８９】
これにより、複数のセンサ１に対して同じしきい値を設定する場合において、しきい値の設定処理の負担を軽減することができる。
【０１９０】
ボタンＢｔ２４がユーザによりクリックされると、対象のセンサ１に対する設定の編集結果が登録される。
【０１９１】
再び図３を参照して、処理部３１は、受付部２３から受ける操作情報に基づいて、グループの名称、グループに対応するマップを示す画像ファイルのファイルパス、グループに属するセンサ１のＩＤ、センサ１のマップにおける座標、およびセンサ１の各計測対象にそれぞれ対応する各しきい値を示すグループ情報をグループごとに作成する。
【０１９２】
ここで、当該座標の初期値は、たとえば未定を示す「ＮＡ」である。処理部３１は、作成したグループ情報をグループＩＤに対応付けて記憶部２２に保存する。
【０１９３】
図１３は、本発明の第１の実施の形態に係るセンサ情報処理システムにおいて、表示装置に表示された画面の一例を示す図である。図１３には、センサ１が登録された場合において、センサ１による計測結果を示すアイコンを含む画面Ｓｃが示される。
【０１９４】
図３および図１３を参照して、ユーザは、第１工場のマップを領域Ｒｇ１に表示するために、領域Ｒｇ２における「第１工場」を示すリンクＬｋ８をクリックする。
【０１９５】
受付部２３は、ユーザによる操作を受け付けると、受け付けた操作内容を示す操作情報を作成して処理部３１へ出力する。
【０１９６】
処理部３１は、受信部２１によって取得されたセンサ情報に基づく、複数のセンサ１のうちの一部または全部のセンサ１のアイコンを、マップにおける対応位置に同時にすなわち並行して表示する処理を行う。詳細には、処理部３１は、当該センサ情報に基づいて決定した当該アイコンをマップにおける対応位置に同時に表示する処理を行う。なお、複数のアイコンの表示開始タイミングは、同時であってもよいし、異なってもよい。
【０１９７】
より詳細には、処理部３１は、受付部２３から操作情報を受けると、受けた操作情報に従って、「第１工場」のグループＩＤに対応するグループ情報を記憶部２２から取得する。
【０１９８】
そして、処理部３１は、取得したグループ情報に基づいて、工場５のマップを示す画像ファイルを取得し、取得した画像ファイルの示す「第１工場」のマップを領域Ｒｇ１に表示する制御を行う。
【０１９９】
図１４は、本発明の第１の実施の形態に係るセンサ情報処理システムにおいて、表示装置における画面に表示される標準アイコンの一例を示す図である。
【０２００】
図１４を参照して、標準アイコンは、状態に応じてたとえば８種類の形態を有する。より詳細には、標準アイコンＩＳ１は、画面Ｓｃにおいて、たとえばアイコンの一部または全部が青色で表示される。標準アイコンＩＳ２，ＩＳ３は、画面Ｓｃにおいて、たとえばアイコンの一部または全部が赤色で表示される。
【０２０１】
標準アイコンＩＳ４は、画面Ｓｃにおいて、たとえばアイコンの一部または全部が青色で表示される。標準アイコンＩＳ５，ＩＳ６は、画面Ｓｃにおいて、たとえばアイコンの一部または全部が黄色で表示される。標準アイコンＩＳ７，ＩＳ８は、画面Ｓｃにおいて、たとえばアイコンの全部が灰色で表示される。
【０２０２】
再び図３および図１３を参照して、処理部３１は、たとえばマップにおける対応位置が未定であるアイコンを所定位置に表示する処理を行う。
【０２０３】
たとえば、領域Ｒｇ１における「標準」を示すラジオボタンＲＢ１が選択されているので、処理部３１は、図１４に示す標準アイコンＩＳ１〜ＩＳ８のいずれかをセンサ１のアイコンとして用いる。
【０２０４】
より詳細には、処理部３１は、グループ情報に基づいて、「第１工場」のグループに属するセンサ１のＩＤを認識する。そして、処理部３１は、センサ１から受信部２１経由で受信するセンサ情報のうち、当該ＩＤを示すセンサ識別情報を含むセンサ情報（以下、監視対象センサ情報とも称する。）に基づいて、センサ１のアイコンの形態を決定する。センサ情報とアイコンの形態との関係は、後述する。
【０２０５】
また、処理部３１は、グループ情報の示すセンサ１のマップにおける座標が「ＮＡ」であるので、決定した形態を有するアイコンたとえば４つの標準アイコンＩＳ１、および１つの標準アイコンＩＳ７を未配置センサリストＬｔ６に表示する制御を行う。
【０２０６】
図１５は、本発明の第１の実施の形態に係るセンサ情報処理システムにおいて、表示装置に表示された画面の一例を示す図である。図１５には、センサ１のアイコンがユーザによって移動された場合において、表示装置１３１に表示される画面Ｓｃが示される。
【０２０７】
図１５を参照して、たとえば、ユーザは、未配置センサリストＬｔ６に表示されたアイコンをドラッグすることにより、当該アイコンをマップにおける所望の位置に移動させる。
【０２０８】
受付部２３は、ユーザが画面Ｓｃに対して行ったドラッグ操作を受け付け、受け付けた操作内容を示す操作情報を作成して処理部３１へ出力する。
【０２０９】
処理部３１は、たとえば対応位置を指定する操作内容を示す操作情報に基づいてアイコンの表示位置を所定位置から対応位置に変更する。
【０２１０】
より詳細には、処理部３１は、受付部２３から操作情報を受けると、受けた操作情報に従って、図１３において未配置センサリストＬｔ６に表示されている、４つの標準アイコンＩＳ１および１つの標準アイコンＩＳ７を、図１５に示すようにマップ上に表示する制御を行う。
【０２１１】
また、処理部３１は、移動後の各アイコンのマップにおける座標に基づいて、記憶部２２が保持するグループ情報を更新する。
【０２１２】
図１６は、本発明の第１の実施の形態に係るセンサ情報処理システムにおいて、表示装置に表示された画面の一例を示す図である。図１６には、設備Ｃに設けられたセンサ１からの計測結果が注意上限のしきい値より大きくなった場合において、表示装置１３１に表示される画面Ｓｃが示される。
【０２１３】
図３および図１６を参照して、処理部３１は、受信部２１によって取得されたセンサ情報の示す値と４つのしきい値とを比較し、比較結果に応じて異なる処理を行う、より詳細には、比較結果に応じて所定エリアに関する処理を行う。ここで、４つのしきい値は、警告上限のしきい値、警告下限のしきい値、注意上限のしきい値および注意下限のしきい値である。
【０２１４】
より詳細には、処理部３１は、たとえば、センサ情報の示す値が警告上限のしきい値を上回った場合と、当該値が警告下限のしきい値を下回った場合とで異なる処理を行う。また、処理部３１は、たとえば、センサ情報の示す値が注意上限のしきい値を上回った場合と、当該値が注意下限のしきい値を下回った場合とで応じて異なる処理を行う。
【０２１５】
具体的には、処理部３１は、たとえば、マップにおける対応位置に１または複数のセンサのアイコンを表示する処理を行い、比較結果に応じてアイコンの表示態様を変更する。
【０２１６】
また、たとえば、処理部３１は、センサ情報の内容に応じて対応のアイコンの形状および表示色等の表示内容を変更する。
【０２１７】
具体的には、処理部３１は、自己のセンサ情報処理装置１０１が起動した後、センサ１から監視対象センサ情報を受信するまで、当該センサ１に対応するアイコンとして標準アイコンＩＳ８を表示する制御を行う。そして、処理部３１は、センサ１から受信部２１経由で受信する監視対象センサ情報に含まれる計測情報の内容を監視し、監視結果に基づいてアイコンの表示態様を変更する。
【０２１８】
より詳細には、処理部３１は、計測情報の示す温度、湿度、電流および非接触温度すなわち計測値と対応の各しきい値すなわち警告上限のしきい値、注意上限のしきい値、注意下限のしきい値、および警告下限のしきい値とを比較する。
【０２１９】
処理部３１は、条件Ｃ１を満たした場合、アイコンを標準アイコンＩＳ５に変更する。ここで、条件Ｃ１は、各計測値のうちの少なくとも１つの計測値が、対応の警告上限のしきい値以下かつ注意上限のしきい値より大きくなることである。
【０２２０】
また、処理部３１は、条件Ｃ２を満たした場合、アイコンを標準アイコンＩＳ３に変更する。ここで、条件Ｃ２は、各計測値のうちの少なくとも１つの計測値が、対応の警告上限のしきい値より大きくなることである。
【０２２１】
また、処理部３１は、条件Ｃ３を満たした場合、アイコンを標準アイコンＩＳ６に変更する。ここで、条件Ｃ３は、各計測値のうちの少なくとも１つの計測値が、対応の警告下限のしきい値以上かつ注意下限のしきい値より小さくなることである。
【０２２２】
また、処理部３１は、条件Ｃ４を満たした場合、アイコンを標準アイコンＩＳ４に変更する。ここで、条件Ｃ４は、各計測値のうちの少なくとも１つの計測値が、対応の警告下限のしきい値より小さくなることである。以下、条件Ｃ１〜Ｃ４を満たした状態を、それぞれ非正常状態Ｓｔ１〜Ｓｔ４とも称する。
【０２２３】
なお、条件Ｃ１〜Ｃ４は、各計測値のうちの少なくとも１つの計測値が、対応のしきい値より大きくなった状態もしくは小さくなった状態が所定時間継続すること、または当該計測値が対応のしきい値より大きくなるときまたは小さくなるときの計測値の変化度合いが所定値より大きいこと等であってもよい。
【０２２４】
また、処理部３１は、センサ情報に含まれるメンテナンス情報およびステータス情報に基づいて、アイコンを標準アイコンＩＳ２に変更する。より詳細には、処理部３１は、メンテナンス情報の示す電池電圧が異常である場合、またはステータス情報の示す判定結果が異常である場合、対応のアイコンを標準アイコンＩＳ２に変更する。
【０２２５】
また、処理部３１は、たとえば、受信部２１においてセンサ情報が所定時間以上取得されない場合に、対応のセンサ１のアイコンの表示態様を変更する。詳細には、処理部３１は、たとえば、センサ情報の受信状況に基づいて、アイコンを標準アイコンＩＳ７に変更する。より詳細には、処理部３１は、センサ１から所定時間以上センサ情報を受信できない場合、当該センサ１に対応するアイコンを標準アイコンＩＳ７に変更する。
【０２２６】
図１６に示す例では、処理部３１は、条件Ｃ１を満たす計測情報を含むセンサ情報を、設備Ｃに設けられたセンサ１から受信部２１経由で受信したので、当該センサ１のアイコンを標準アイコンＩＳ１（図１５参照）からＩＳ５に変更し、変更後の標準アイコンＩＳ５を表示する制御を行う。
【０２２７】
図１７は、本発明の第１の実施の形態に係るセンサ情報処理システムにおいて、表示装置に表示された画面の一例を示す図である。図１７には、センサ１が登録された場合において、電波強度を示すアイコンを含む画面Ｓｃが示される。
【０２２８】
図３および図１７を参照して、受信部２１は、センサ１から送信される無線信号を受信するアクセスポイント１５１経由でセンサ情報を取得し、また、アクセスポイント１５１による無線信号の計測結果を取得する。
【０２２９】
より詳細には、受信部２１は、ＬＱＩ情報を含むセンサ情報をアクセスポイント１５１から受信すると、受信したセンサ情報を処理部３１へ出力する。
【０２３０】
処理部３１は、受信部２１によって取得されたアクセスポイント１５１による無線信号の計測結果に基づく、複数のセンサ１のうちの一部または全部のセンサ１のアイコンを、マップにおける対応位置に同時にすなわち並行して表示する処理を行う。詳細には、処理部３１は、当該計測結果に基づいて決定した当該アイコンをマップにおける対応位置に同時に表示する処理を行う。なお、複数のアイコンの表示開始タイミングは、同時でもあってもよいし、異なってもよい。
【０２３１】
図１８は、本発明の第１の実施の形態に係るセンサ情報処理システムにおいて、表示装置における画面に表示される電波アイコンの一例を示す図である。
【０２３２】
図１８を参照して、電波アイコンは、センサ情報の受信可否、およびセンサ情報に含まれるＬＱＩ情報の示すＬＱＩのレベルに応じてたとえば５種類の形態を有する。より詳細には、電波アイコンＩＲ１，ＩＲ２，ＩＲ３，ＩＲ４は、画面Ｓｃにおいて、たとえばアイコンの一部または全部が青色，緑色，黄色，赤色でそれぞれ表示される。また、電波アイコンＩＲ５は、画面Ｓｃにおいて、たとえば全部が灰色で表示される。
【０２３３】
再び図３および図１７を参照して、たとえば、領域Ｒｇ１における「電波強度」を示すラジオボタンＲＢ２が選択されている場合、処理部３１は、図１８に示す電波アイコンＩＲ１〜ＩＲ５のいずれかをセンサ１のアイコンとして用いる。
【０２３４】
より詳細には、処理部３１は、たとえば工場５における設備Ａ〜Ｃに設けられた各センサ１から受信部２１経由でセンサ情報を受信できる状況であるため、受信したセンサ情報に含まれるＬＱＩ情報に基づいて、センサ１のアイコンの形態を電波アイコンＲＢ１〜ＲＢ４のいずれかに決定する。
【０２３５】
具体的には、処理部３１は、ＬＱＩ情報の示すＬＱＩからレベルを決定し、決定したレベルがレベル４，３，２，１である場合、電波アイコンＩＲ１，ＩＲ２，ＩＲ３，ＩＲ４をそれぞれ表示する制御を行う。ここで、レベル４、３、２および１は、それぞれ受信品質がきわめて良好、良好、安定および不安定を示す。
【０２３６】
また、処理部３１は、たとえば工場５における設備Ｄに設けられたセンサ１から受信部２１経由で所定時間以上センサ情報を受信できない状況であるため、当該センサ１のアイコンを電波アイコンＩＲ５に決定する。
【０２３７】
また、処理部３１は、上述の計測情報の監視結果に基づいてアイコンの表示態様を変更する場合と同様に、センサ１から受信部２１経由で受信するセンサ情報の受信可否またはＬＱＩ情報の示すＬＱＩを監視し、監視結果に基づいて電波アイコンの表示態様を変更する。
【０２３８】
図１９は、本発明の第１の実施の形態に係るセンサ情報処理システムにおいて、表示装置に表示された画面の一例を示す図である。図１９には、センサ１が登録された場合において、電池残量を示すアイコンを含む画面Ｓｃが示される。
【０２３９】
図３および図１９を参照して、処理部３１は、たとえば、受信部２１経由でセンサ１から受信するセンサ情報の内容に応じた対応のセンサ１の電池の交換時期を認識可能に表示する処理を行う。
【０２４０】
図２０は、本発明の第１の実施の形態に係るセンサ情報処理システムにおいて、表示装置における画面に表示される電池アイコンの一例を示す図である。
【０２４１】
図２０を参照して、電池アイコンは、センサ情報の受信可否、およびセンサ情報に含まれるメンテナンス情報の示す電池電圧のレベルに応じてたとえば４種類の形態を有する。より詳細には、電池アイコンＩＢ１，ＩＢ２，ＩＢ３は、画面Ｓｃにおいて、たとえばアイコンの一部または全部が青色，黄色，赤色で表示される。また、電池アイコンＩＢ４は、画面Ｓｃにおいて、たとえば全部が灰色で表示される。
【０２４２】
再び図３および図１９を参照して、たとえば、領域Ｒｇ１における「電池残量」を示すラジオボタンＲＢ３が選択されている場合、処理部３１は、図２０に示す電池アイコンＩＢ１〜ＩＢ４のいずれかをセンサ１のアイコンとして用いる。
【０２４３】
より詳細には、処理部３１は、たとえば工場５における設備Ａ〜Ｃに設けられた各センサ１から受信部２１経由でセンサ情報を受信できる状況であるため、受信したセンサ情報に含まれるメンテナンス情報に基づいて、センサ１のアイコンの形態を電池アイコンＩＢ１〜ＩＢ３のいずれかに決定する。
【０２４４】
具体的には、処理部３１は、メンテナンス情報の示す電池電圧からレベルを決定し、決定したレベルがレベル３，２，１である場合、電池アイコンＩＢ１，ＩＢ２，ＩＢ３をそれぞれ表示する制御を行う。ここで、レベル３、２および１は、それぞれ電池残量が十分、残量に注意、および要交換を示す。
【０２４５】
また、処理部３１は、たとえば工場５における設備Ｄに設けられたセンサ１から所定時間以上センサ情報を受信できない状況であるため、当該センサ１の形態を電池アイコンＩＢ４に決定する。
【０２４６】
また、処理部３１は、上述の計測情報の監視結果に基づいてアイコンの表示態様を変更する場合と同様に、センサ１から受信部２１経由で受信するセンサ情報の受信可否またはメンテナンス情報の示す電池電圧を監視し、監視結果に基づいて電池アイコンの表示態様を変更する。
【０２４７】
［電池アイコンの変形例］
図２１は、本発明の第１の実施の形態に係るセンサ情報処理システムにおいて、表示装置に表示された画面の一例を示す図である。図２１には、センサ１が登録された場合において、電池交換時期までの残り日数を示すアイコンを含む画面Ｓｃが示される。
【０２４８】
図３および図２１を参照して、処理部３１は、たとえば対応のセンサ１の電池の交換時期までの日数を表示する処理を行う。
【０２４９】
図２２は、本発明の第１の実施の形態に係るセンサ情報処理システムにおいて、表示装置における画面に表示される電池アイコンの変形例を示す図である。
【０２５０】
図２２を参照して、電池アイコンは、センサ情報の受信可否、およびセンサ情報に含まれるメンテナンス情報の示す電池電圧のレベルに応じてたとえば４種類の形態を有する。より詳細には、電池アイコンＩＢ５，ＩＢ６，ＩＢ７は、画面Ｓｃにおいて、たとえばアイコンの一部または全部が青色，黄色，赤色で表示される。また、電池アイコンＩＢ８は、画面Ｓｃにおいて、たとえば全部が灰色で表示される。
【０２５１】
再び図３および図２１を参照して、たとえば、工場５における設備Ａ〜Ｃに設けられた各センサ１から受信するメンテナンス情報に基づいて、センサ１のアイコンの形態を電池アイコンＩＢ５〜ＩＢ７のいずれかに決定する。
【０２５２】
具体的には、処理部３１は、メンテナンス情報の示す電池電圧から電池の交換時期までの残り日数を算出し、算出した日数がたとえば３０日以上、１４日および３日である場合、電池アイコンＩＢ５、ＩＢ６およびＩＢ７をそれぞれ表示する制御を行う。
【０２５３】
また、処理部３１は、たとえば工場５における設備Ｄに設けられたセンサ１から所定時間以上センサ情報を受信できない状況であるため、当該センサ１の形態を電池アイコンＩＢ８に決定する。
【０２５４】
［無視センサリストＬｔ１］
再び図３および図６を参照して、記憶部２２は、たとえば、受信を許可したアクセスポイント１５１のＩＤおよびプロトコルのバージョンを示すフィルタ情報を保持している。
【０２５５】
処理部３１は、受信部２１によって取得された判別用情報が所定条件ＰＣ１を満たすセンサ１を他のセンサ１と識別可能に表示する処理を行う。また、処理部３１は、受信部２１によって取得された判別用情報が所定条件ＰＣ２を満たすか否かに応じて、対応のセンサ１から取得したセンサ情報に基づく情報を保存するか否かを決定する処理を行う。ここで、センサ情報に基づく情報は、当該センサ情報そのものであってもよい。
【０２５６】
ここで、所定条件ＰＣ１，ＰＣ２は、センサ１の識別情報が登録されていること、アクセスポイント１５１の識別情報が登録されていること、およびバージョンが登録されていることを含む。
【０２５７】
たとえば、処理部３１は、受信部２１からセンサ情報を受けると、受けたセンサ情報に含まれるバージョン情報、センサ識別情報およびＡＰ識別情報に基づいてフィルタ処理を行う。
【０２５８】
より詳細には、処理部３１は、ＡＰ識別情報の示すアクセスポイント１５１のＩＤとフィルタ情報の示すアクセスポイント１５１のＩＤすなわち登録されているアクセスポイント１５１のＩＤとが一致しかつバージョン情報の示すプロトコルのバージョンとフィルタ情報の示すプロトコルのバージョンすなわち登録されているバージョンとが一致するか否かを確認する。
【０２５９】
処理部３１は、各ＩＤの不一致および各バージョンの不一致の少なくともいずれか一方を確認した場合、センサ情報を破棄する。一方、処理部３１は、各ＩＤの一致および各バージョンの一致の両方を確認した場合、センサ情報に対して以下の処理を行う。
【０２６０】
すなわち、処理部３１は、記憶部２２において保存された各グループ情報の示すグループに属する各センサ１のＩＤすなわち登録されている各センサ１のＩＤの中に、センサ識別情報の示すＩＤが含まれているか否かを確認する。
【０２６１】
処理部３１は、センサ識別情報の示すＩＤが登録されている各センサ１のＩＤの中に含まれていないことを確認すると、センサ識別情報の示すＩＤを、図６に示す無視センサリストＬｔ１のリストアイテムとして追加するとともに、当該センサ情報を破棄する。
【０２６２】
一方、処理部３１は、センサ識別情報の示すＩＤが登録されている各センサ１のＩＤの中に含まれていることを確認すると、当該センサ情報をセンサ識別情報の示すＩＤに対応付けて記憶部２２に保存する。
【０２６３】
なお、処理部３１は、各ＩＤの不一致および各バージョンの不一致の少なくともいずれか一方を確認した場合、センサ識別情報の示すＩＤを、図６に示す無視センサリストＬｔ１のリストアイテムとして追加するとともに、当該センサ情報を破棄してもよい。
【０２６４】
この場合、処理部３１は、たとえば、各ＩＤの一致および各バージョンの一致の両方を確認し、かつセンサ識別情報の示すＩＤが登録されている各センサ１のＩＤの中に含まれていないことを確認すると、センサ識別情報の示すＩＤを、図４に示す領域Ｒｇ２における「未設定」のグループに追加するとともに、当該センサ情報をセンサ識別情報の示すＩＤに対応付けて記憶部２２に保存する。すなわち、許可したプロトコルを用いて、許可したアクセスポイント１５１経由でセンサ情報を送信したセンサ１のＩＤを「未設定」のグループに自動で追加することができる。
【０２６５】
［ユーザによる異常の確認］
再び図３を参照して、処理部３１は、センサ１の状態情報を表示する処理を行う。具体的には、処理部３１は、センサ１の状態情報を含む領域Ｒｇ３を表示する制御を行う。
【０２６６】
処理部３１は、受信部２１によって取得されたセンサ情報に基づいて、センサ情報に異常が生じた旨を示す状態情報を表示する。
【０２６７】
図２３は、本発明の第１の実施の形態に係るセンサ情報処理システムにおいて、表示装置に表示されたサブ画面の一例を示す図である。図２３には、領域Ｒｇ３に表示されるサブ画面Ｓｃｓが示される。
【０２６８】
図２３を参照して、処理部３１は、図１６に示すケースのように、設備Ｃに設けられたセンサ１からのセンサ情報が、条件Ｃ１を満たす計測情報を含むことを確認すると、図２３に示すサブ画面Ｓｃｓを領域Ｒｇ３に表示する制御を行う。
【０２６９】
サブ画面Ｓｃｓには、計測値の異常の履歴を示すリストＬｔ１２が表示される。リストＬｔ１２では、異常の発生したイベントの番号すなわち「Ｎｏ」を示す数値、計測値の異常の「発生日時」、当該異常の「確認完了日時」、対象のセンサ１の属する「グループ」の名称、対象の「センサ」の名称、「事象」の内容および「状態」が示される。
【０２７０】
設備Ｃに設けられたセンサ１からの計測結果が注意上限のしきい値より大きくなった状態であるが、ユーザによる確認が行われていないので、「８６」番目の「状態」は、「未確認」となっている。
【０２７１】
図２３では、「状態」が「未確認」のリストアイテムにはハッチングが施されている。一方、「状態」が「確認済」のリストアイテムにはハッチングが施されていない。なお、「状態」が「未確認」のリストアイテムには、状態が「確認済」のリストアイテムと異なる色を施してもよい。
【０２７２】
また、ユーザは、ボタンＢｔ４４をクリックすることにより、指定した期間において発生したイベントの内容を確認することができる。
【０２７３】
ユーザは、図２３に示す「８６」番目の異常の詳細を確認するために、たとえば「８６」番目のリストアイテムをクリックする。
【０２７４】
図２４は、本発明の第１の実施の形態に係るセンサ情報処理システムにおいて、表示装置に表示された画面の一例を示す図である。図２４には、ポップアップ形式で表示される画面Ｓｃｐが示される。
【０２７５】
図２４を参照して、当該画面Ｓｃｐは、ユーザによる図２３に示す「８６」番目のリストアイテムのクリックに応答して表示される。
【０２７６】
図２４に示す画面Ｓｃｐにおける領域Ｒｇ１８では、対象のセンサ１の属するグループの名称および当該センサ１の名称が表示される。領域Ｒｇ１８では、イベントの「発生日時」、「事象」の内容、および最新の「数値」すなわち計測値が表示される。
【０２７７】
また、ユーザは、図２４に示す画面Ｓｃｐの内容を確認すると、当該画面Ｓｃｐを閉じるためにボタンＢｔ４５またはＢｔ４６をクリックする。
【０２７８】
再び図３を参照して、受付部２３は、ユーザによる操作を受け付けると、受け付けた操作内容を示す操作情報を作成して処理部３１へ出力する。
【０２７９】
処理部３１は、受付部２３から操作情報を受けると、受けた操作情報に基づいて以下の処理を行う。
【０２８０】
すなわち、処理部３１は、操作情報がボタンＢｔ４６のクリックを示す場合、図２４に示す画面Ｓｃｐを消去し、領域Ｒｇ３において図２３に示すサブ画面Ｓｃｓを表示する制御を行う。
【０２８１】
図２５は、本発明の第１の実施の形態に係るセンサ情報処理システムにおいて、表示装置に表示されたサブ画面の一例を示す図である。図２５には、領域Ｒｇ３に表示されるサブ画面Ｓｃｓが示される。
【０２８２】
図２５を参照して、処理部３１は、状態情報を確認する操作が行われた場合、状態情報の表示態様を変更する。
【０２８３】
より詳細には、処理部３１は、操作情報がボタンＢｔ４５のクリックを示す場合、図２４に示す画面Ｓｃｐを消去し、領域Ｒｇ３において図２５に示すサブ画面Ｓｃｓを表示する制御を行う。
【０２８４】
具体的には、処理部３１は、図２５に示すように、「８６」番目の「確認完了日時」および「状態」として、ボタンＢｔ４５がクリックされたタイミングを示す「２０１５／０９／０３  １３：３７：５４」および「確認済」をそれぞれ表示する制御を行う。また、処理部３１は、「８６」番目のリストアイテムを、ハッチングを施さずに表示する制御を行う。
【０２８５】
［グラフの表示その１］
再び図３を参照して、処理部３１は、受信部２１によって取得されたセンサ情報に基づいて、センサ１の電池残量に関する計測結果の履歴を表示する処理を行う。
【０２８６】
ユーザは、図１５に示す画面Ｓｃを参照しながら、たとえば設備Ｃに設けられセンサ１の電池電圧の時間変化を表示させる場合、当該センサ１のアイコンＩＳ１をクリックする。
【０２８７】
受付部２３は、ユーザによる操作を受け付けると、受け付けた操作内容を示す操作情報を作成して処理部３１へ出力する。
【０２８８】
図２６は、本発明の第１の実施の形態に係るセンサ情報処理システムにおいて、表示装置に表示された画面の一例を示す図である。図２６には、ポップアップ形式で表示される画面Ｓｃｐが示される。
【０２８９】
図２６を参照して、処理部３１は、受付部２３から操作情報を受けると、受けた操作情報に基づいて、図２６に示す画面Ｓｃｐを表示する制御を行う。
【０２９０】
より詳細には、処理部３１は、ユーザにより選択されたセンサ１（以下、選択センサ１とも称する。）のＩＤ、およびセンサ情報に基づいて、図２６に示す画面Ｓｃｐを表示する制御を行う。
【０２９１】
図２６に示す画面Ｓｃｐでは、領域Ｒｇ１９において、センサ情報に基づくグラフが表示される。この例では、ラジオボタンＲＢ６が選択されているので、領域Ｒｇ１９において、センサ情報に含まれるメンテナンス情報の示す選択センサ１の電池電圧の履歴を示すグラフが表示される。ここで、縦軸は電池電圧を示し、横軸は、計測時刻を示す。
【０２９２】
また、ラジオボタンＲＢ４、ＲＢ５、ＲＢ７またはＲＢ８が選択された場合、図示しないが、領域Ｒｇ１９において、センサ情報に含まれる計測情報の示す温度、湿度、電流または非接触温度の履歴を示すグラフが表示される。
【０２９３】
グラフでは、電池電圧の時間変化を示す曲線Ｃｖ１、およびしきい値を示す直線Ｔｈ１，Ｔｈ２，Ｔｈ３が示される。曲線Ｃｖ１および直線Ｔｈ１，Ｔｈ２，Ｔｈ３は、たとえば異なる色で表示される。なお、曲線Ｃｖ１および直線Ｔｈ１，Ｔｈ２，Ｔｈ３は、同じ線種すなわち実線で表示されているが、異なる線種で表示されてもよい。
【０２９４】
グラフは、選択センサ１から新たなセンサ情報を受信するごとに自動的に更新される、すなわちリアルタイムで表示される。たとえば、グラフが所定回数更新されると、チェックボックスＣＢ２にチェックが入り、グラフの自動更新が停止する。
【０２９５】
なお、グラフは、新たなセンサ情報を受信するごとに更新されるものに限らず、所定周期ごとに更新されるものであってもよい。また、グラフの自動更新は、所定回数更新された場合に停止するものに限らず、画面Ｓｃｐに対する操作が行われない状態が所定時間継続した場合に停止するものであってもよい。
【０２９６】
テーブルＴｂｌ１には、選択センサ１に関する情報が示される。具体的には、テーブルＴｂｌ１には、選択センサ１の名称、選択センサ１が属するグループの名称、選択センサ１により計測された温度、湿度、電圧、電流および非接触温度の最新値、選択センサ１の最終計測日時、ならびに選択センサ１の状態が表示される。
【０２９７】
図２６に示す画面Ｓｃｐは、ボタンＢｔ４６がクリックされることにより閉じられる。
【０２９８】
また、ユーザは、選択センサ１の電池電圧の時間変化を表示させる場合、リアルタイム表示に限らず、期間を指定して表示させることも可能である。より詳細には、ユーザは、たとえば、図１５に示す画面Ｓｃに表示された選択センサ１のアイコンＩＳ１を、シフトキーを押しながらクリックするか、または図２６に示す画面Ｓｃｐに表示されたボタンＢｔ４５を、シフトキーを押しながらクリックする。
【０２９９】
受付部２３は、ユーザによる操作を受け付けると、受け付けた操作内容を示す操作情報を作成して処理部３１へ出力する。
【０３００】
図２７は、本発明の第１の実施の形態に係るセンサ情報処理システムにおいて、表示装置に表示された画面の一例を示す図である。図２７には、ポップアップ形式で表示される画面Ｓｃｐが示される。
【０３０１】
図２７を参照して、処理部３１は、受付部２３から操作情報を受けると、受けた操作情報に基づいて、図２７に示す画面Ｓｃｐを表示する制御を行う。
【０３０２】
図２７に示す画面Ｓｃｐでは、グラフの表示期間を変更することが可能である。ボタンＢｔ４９、Ｂｔ５０またはＢｔ５１がクリックされると、表示期間が当日、当月または当年に設定される。
【０３０３】
ボタンＢｔ５２またはＢｔ５３がクリックされると、表示期間の長さが所定倍小さくまたは大きくなるように設定される。
【０３０４】
ボタンＢｔ５４またはＢｔ５７がクリックされると、所定時間Ｔｍ１だけ過去または未来に移動させた表示期間が設定される。ボタンＢｔ５５またはＢｔ５６がクリックされると、所定時間Ｔｍ２だけ過去または未来に移動させた表示期間が設定される。
【０３０５】
ここで、所定時間Ｔｍ１は、たとえばボタンＢｔ４９、Ｂｔ５０またはＢｔ５１のクリックに応じてそれぞれ１日、１月または１年に設定される。また、所定時間Ｔｍ２は、たとえば領域Ｒｇ２１に表示されたグラフの横軸の１目盛に相当する時間である。
【０３０６】
領域Ｒｇ２１において、センサ情報に基づくグラフが表示される。この例では、ラジオボタンＲＢ９が選択されているので、領域Ｒｇ２１において、センサ情報に含まれる計測情報の示す温度の履歴を示すグラフが表示される。ここで、縦軸は温度を示し、横軸は、計測時刻を示す。
【０３０７】
より詳細には、グラフでは、たとえば、最大値、平均値および最小値の時間変化をそれぞれ示す曲線Ｃｖ３、Ｃｖ４およびＣｖ５、ならびに警告下限のしきい値、注意下限のしきい値、注意上限のしきい値および警告上限のしきい値をそれぞれ示す直線Ｔｈ５、Ｔｈ６、Ｔｈ７およびＴｈ８が示される。
【０３０８】
最大値、平均値および最小値は、センサ情報に含まれる計測時刻情報および計測情報に基づいて算出される。より詳細には、最大値、平均値および最小値は、たとえばグラフの横軸の１目盛の半分の期間ごとに計測情報を統計処理することにより算出される。
【０３０９】
曲線Ｃｖ３，Ｃｖ４，Ｃｖ５および直線Ｔｈ５，Ｔｈ６，Ｔｈ７，Ｔｈ８は、たとえば異なる色で表示される。なお、曲線Ｃｖ３，Ｃｖ４，Ｃｖ５および直線Ｔｈ５，Ｔｈ６，Ｔｈ７，Ｔｈ８は、同じ線種すなわち実線で表示されているが、異なる線種で表示されてもよい。
【０３１０】
また、ラジオボタンＲＢ１０、ＲＢ１２またはＲＢ１３が選択された場合、図示しないが、領域Ｒｇ１９において、センサ情報に含まれる計測情報の示す湿度、電流もしくは非接触温度の履歴を示すグラフがそれぞれ表示される。また、ラジオボタンＲＢ１１が選択された場合、図示しないが、領域Ｒｇ１９において、センサ情報に含まれるメンテナンス情報の示す電池電圧の履歴を示すグラフが表示される。
【０３１１】
図２７に示す画面Ｓｃｐは、ボタンＢｔ４８がクリックされることにより閉じられる。
【０３１２】
再び図３を参照して、処理部３１は、受信部２１によって取得されたセンサ情報に基づいて、センサ１から送信される無線信号に関する計測結果の履歴を表示する処理を行う。たとえば、処理部３１は、１つのセンサ１から送信される無線信号の複数のアクセスポイント１５１による計測結果を表示する処理を行う。
【０３１３】
ユーザは、図１５に示す画面Ｓｃを参照しながら、たとえば、設備Ｃに設けられたセンサ１についてのＬＱＩの時間変化を表示させる場合、当該センサ１のアイコンＩＳ１を、コントロールキーおよびオルタネイトキーを押しながらクリックする。
【０３１４】
受付部２３は、ユーザによる操作を受け付けると、受け付けた操作内容を示す操作情報を作成して処理部３１へ出力する。
【０３１５】
図２８は、本発明の第１の実施の形態に係るセンサ情報処理システムにおいて、表示装置に表示された画面の一例を示す図である。図２８には、ポップアップ形式で表示される画面Ｓｃｐが示される。
【０３１６】
図２８を参照して、処理部３１は、受付部２３から操作情報を受けると、受けた操作情報に基づいて、図２８に示す画面Ｓｃｐを表示する制御を行う。
【０３１７】
より詳細には、処理部３１は、選択センサ１のＩＤ、およびセンサ情報に基づいて、図２８に示す画面Ｓｃｐを表示する制御を行う。
【０３１８】
図２８に示す画面Ｓｃｐでは、領域Ｒｇ２０において、センサ情報に基づくグラフが表示される。より詳細には、領域Ｒｇ２０において、センサ情報に含まれるＬＱＩ情報の示すＬＱＩの履歴を示すグラフが表示される。ここで、縦軸はＬＱＩの値を示し、横軸は、計測時刻を示す。
【０３１９】
グラフでは、ＬＱＩの時間変化を示す曲線Ｃｖ２，Ｃｖ３、およびしきい値を示す直線Ｔｈ９，Ｔｈ１０が示される。
【０３２０】
上述したように、センサ情報処理装置１０１は、同じ計測時刻情報およびセンサ識別情報を含む複数のセンサ情報をそれぞれ異なるアクセスポイント１５１から受信することがある。この例では、曲線Ｃｖ２，Ｃｖ３は、２つのアクセスポイント１５１からそれぞれ受信した２つのセンサ情報であって選択センサ１からの同じ計測時刻情報およびセンサ識別情報を含む２つのセンサ情報に含まれるＬＱＩ情報に基づく曲線である。
【０３２１】
曲線Ｃｖ２，Ｃｖ３および直線Ｔｈ９，Ｔｈ１０は、たとえば異なる色で表示される。なお、曲線Ｃｖ２，Ｃｖ３および直線Ｔｈ９，Ｔｈ１０は、同じ線種すなわち実線で表示されているが、異なる線種で表示されてもよい。
【０３２２】
グラフは、選択センサ１から新たなセンサ情報を受信するごとに自動的に更新される、すなわちリアルタイムで表示される。たとえば、グラフが所定回数更新されると、チェックボックスＣＢ３にチェックが入り、グラフの自動更新が停止する。
【０３２３】
なお、グラフは、新たなセンサ情報を受信するごとに更新されるものに限らず、所定周期ごとに更新されるものであってもよい。また、グラフの自動更新は、所定回数更新された場合に停止するものに限らず、画面Ｓｃｐに対する操作が行われない状態が所定時間継続した場合に停止するものであってもよい。
【０３２４】
テーブルＴｂｌ２には、選択センサ１に関する情報が示される。具体的には、テーブルＴｂｌ２には、選択センサ１の名称、選択センサ１が属するグループの名称、選択センサ１の送信周期、センサ１が用いる無線チャネル番号、センサ情報のＳＮ番号、選択センサ１の状態および選択センサ１の最終計測日時が表示される。
【０３２５】
図２８に示す画面Ｓｃｐは、ボタンＢｔ４７がクリックされることにより閉じられる。
【０３２６】
［センサ情報処理装置１０１の変形例］
再び図３を参照して、処理部３１は、受信部２１によって取得されたセンサ情報が所定条件を満たすセンサ１の数に応じて異なる処理を行う、より詳細には、比較結果に応じて所定エリアに関する処理を行う。
【０３２７】
より詳細には、処理部３１は、たとえば、工場５における各センサ１のうち、条件Ｃ１を満たす計測情報を含むセンサ情報を送信したセンサ１の個数が所定個数Ｎ１以下である場合、当該センサ１のアイコンとして標準アイコンＩＳ５（図１４参照）を用いる。一方、処理部３１は、当該個数が所定個数Ｎ１より多い場合、当該センサ１のアイコンとして標準アイコンＩＳ３を用いる。すなわち、工場５の状態としては非正常状態Ｓｔ１すなわち注意を要する状態であるが、工場５における広い範囲において非正常状態Ｓｔ１となっているため、非正常状態Ｓｔ２すなわち警告を要する状態として扱う。
【０３２８】
［動作］
センサ情報処理装置１０１は、コンピュータを備え、当該コンピュータにおけるＣＰＵ等の演算処理部は、以下に示すフローチャートの各ステップの一部または全部を含むプログラムを図示しないメモリから読み出して実行する。この装置のプログラムは、外部からインストールすることができる。この装置のプログラムは、記録媒体に格納された状態で流通する。
【０３２９】
図２９は、本発明の第１の実施の形態に係るセンサ情報処理装置がセンサ情報に基づいてアイコンを表示する際の動作手順を定めたフローチャートである。
【０３３０】
まず、センサ情報処理装置１０１は、工場５のマップを画面Ｓｃにおける領域Ｒｇ１に表示する制御を行う（ステップＳ１０２）。
【０３３１】
次に、センサ情報処理装置１０１は、複数のセンサ１のうちの少なくともいずれか１つからセンサ情報を受信するまで待機する（ステップＳ１０４でＮＯ）。
【０３３２】
センサ情報処理装置１０１は、センサ１からセンサ情報を受信すると（ステップＳ１０４でＹＥＳ）、ラジオボタンＲＢ１が選択されている場合（ステップＳ１０６でＹＥＳ）、以下の処理を行う。
【０３３３】
すなわち、センサ情報処理装置１０１は、センサ情報に含まれる計測情報の示す温度、湿度、電流および非接触温度と対応の各しきい値とを比較し、比較結果に応じてセンサ１の標準アイコンの形態を決定する（ステップＳ１０８）。
【０３３４】
次に、センサ情報処理装置１０１は、センサ情報に基づいて、マップにおける対応位置に決定した形態を有する標準アイコンを表示する制御を行う（ステップＳ１１０）。
【０３３５】
一方、センサ情報処理装置１０１は、ラジオボタンＲＢ２が選択されている場合（ステップＳ１０６でＮＯおよびステップＳ１１２でＹＥＳ）、センサ情報に基づいて、マップにおける対応位置に、ＬＱＩ情報の示すＬＱＩに応じた形態を有する電波アイコンを表示する制御を行う（ステップＳ１１４）。
【０３３６】
一方、センサ情報処理装置１０１は、ラジオボタンＲＢ３が選択されている場合（ステップＳ１０６でＮＯおよびステップＳ１１２でＮＯ）、センサ情報に基づいて、マップにおける対応位置に、メンテナンス情報の示す電池電圧に応じた形態を有する電池アイコンを表示する制御を行う（ステップＳ１１６）。
【０３３７】
次に、センサ情報処理装置１０１は、センサ１の標準アイコンを表示する制御を行うか（ステップＳ１１０）、センサ１の電波アイコンを表示する制御を行うか（ステップＳ１１４）またはセンサ１の電池アイコンを表示する制御を行うと（ステップＳ１１６）、複数のセンサ１のうちの少なくともいずれか１つから新たなセンサ情報を受信するまで待機する（ステップＳ１０４でＮＯ）。
【０３３８】
なお、本発明の第１の実施の形態に係るセンサ情報処理システムでは、センサ情報は、センサ１の計測対象に関する計測結果、センサ１の電池残量に関する計測結果、およびセンサ１の異常に関する判定結果を含むとしたが、これに限定するものではない。センサ情報は、センサ１の計測対象に関する計測結果、センサ１の電池残量に関する計測結果、およびセンサ１の異常に関する判定結果の一部を含んでもよい。
【０３３９】
また、本発明の第１の実施の形態に係るセンサ情報処理装置１０１では、処理部３１は、受信部２１によって取得されたセンサ情報の示す値と４つのしきい値とを比較する構成であるとしたが、これに限定するものではない。処理部３１は、センサ情報の示す値と１つ、２つ、３つまたは５つ以上のしきい値とを比較する構成であってもよい。
【０３４０】
また、本発明の第１の実施の形態に係るセンサ情報処理システムでは、センサ情報はセンサ１からブロードキャストで送信されるとしたが、これに限定するものではない。センサ情報は、センサ１からユニキャストで送信されてもよい。
【０３４１】
また、本発明の第１の実施の形態に係るセンサ情報処理装置では、判別用情報は、バージョン情報、センサ識別情報およびＡＰ識別情報を含むとしたが、これに限定するものではない。判別用情報は、バージョン情報、センサ識別情報およびＡＰ識別情報の一部を含んでもよい。
【０３４２】
また、本発明の第１の実施の形態に係るセンサ情報処理装置では、所定条件ＰＣ１，ＰＣ２は、同じであるとしたが、異なってもよい。また、所定条件ＰＣ１，ＰＣ２は、センサ１の識別情報が登録されていること、アクセスポイント１５１の識別情報が登録されていること、およびバージョンが登録されていることのいずれか１つまたは２つであってもよい。
【０３４３】
また、本発明の第１の実施の形態に係るセンサ情報処理装置では、処理部３１は、図１３に示すように、所定エリアすなわち工場５の図面の全部を表示する構成であるとしたが、これに限定するものではない。処理部３１は、所定エリアの図面の一部を表示する構成であってもよい。
【０３４４】
また、本発明の第１の実施の形態に係るセンサ情報処理装置では、処理部３１は、センサ情報の内容または比較結果に応じてアイコンの形状および表示色の少なくともいずれかを変更する構成であるとしたが、これに限定するものではない。処理部３１は、センサ情報の内容または比較結果に応じて、アイコンの点滅、回転、膨張、収縮および収縮、ならびにこれらの組み合わせを行う構成であってもよい。
【０３４５】
また、本発明の第１の実施の形態に係るセンサ情報処理装置では、処理部３１は、センサ情報に基づいて、複数のセンサ１のうち、図面における対応位置に１または複数のセンサ１のアイコンを表示する処理を行う構成であるとしたが、これに限定するものではない。処理部３１は、センサ情報以外の情報たとえばアクセスポイント１５１による無線信号の計測結果に基づいて当該処理を行う構成であってもよい。
【０３４６】
また、本発明の第１の実施の形態に係るセンサ情報処理装置では、処理部３１は、工場５における各センサ１のうち、条件Ｃ１〜Ｃ４の少なくともいずれか１つを満たすセンサ情報を送信したセンサ１の数に応じて異なる処理を行う構成であるとしたが、これに限定するものではない。処理部３１は、他の条件を満たすセンサ１の数に応じて異なる処理を行う構成であってもよい。
【０３４７】
また、本発明の第１の実施の形態に係るセンサ情報処理システムでは、計測時刻情報はセンサ１において作成される構成であるとしたが、これに限定するものではない。センサ情報処理装置１０１が、センサ１からセンサ情報を受信したタイミングを示すタイムスタンプを計測時刻情報として作成する構成であってもよい。
【０３４８】
また、本発明の第１の実施の形態に係るセンサ情報処理装置は、以下の９つの機能の各々を実現するステップをそれぞれ含む９つのプログラムを図示しないメモリから読み出して実行する。これらのプログラムは、外部からインストールすることができる。
【０３４９】
１つ目の機能として、本発明の第１の実施の形態に係るセンサ情報処理装置は、所定エリアに配置された複数のセンサ１から無線送信されるセンサ情報を取得する受信部２１と、所定エリアの図面を表示する処理および受信部２１によって取得されたセンサ情報に基づく、複数のセンサ１のうちの一部または全部のセンサ１のアイコンを、図面における対応位置に同時に表示する処理を行う処理部３１とからなる最小構成要素により、所定エリアの監視に関する優れた機能を提供するという本発明の目的を達成することが可能である。
【０３５０】
２つ目の機能として、本発明の第１の実施の形態に係るセンサ情報処理装置は、所定エリアに配置された複数のセンサ１から無線送信されるセンサ情報を取得し、また、センサ１から送信される無線信号を受信するアクセスポイント１５１経由でセンサ情報を取得し、アクセスポイント１５１による無線信号の計測結果を取得する受信部２１と、所定エリアの図面を表示する処理、および受信部２１によって取得された計測結果に基づく、複数のセンサ１のうちの一部または全部のセンサ１のアイコンを、図面における対応位置に同時に表示する処理を行う処理部３１とからなる最小構成要素により、所定エリアの監視に関する優れた機能を提供するという本発明の目的を達成することが可能である。
【０３５１】
３つ目の機能として、本発明の第１の実施の形態に係るセンサ情報処理装置は、所定エリアに配置された複数のセンサ１から無線送信されるセンサ情報を取得する受信部２１と、受信部２１によって取得されたセンサ情報の示す値と複数のしきい値とを比較し、比較結果に応じて異なる処理を行う処理部３１とからなる最小構成要素により、所定エリアの監視に関する優れた機能を提供するという本発明の目的を達成することが可能である。
【０３５２】
４つ目の機能として、本発明の第１の実施の形態に係るセンサ情報処理装置は、所定エリアに配置された複数のセンサ１から無線送信されるセンサ情報を取得する受信部２１と、受信部２１によって取得されたセンサ情報が所定条件を満たすセンサ１の数に応じて異なる処理を行う処理部３１とからなる最小構成要素により、所定エリアの監視に関する優れた機能を提供するという本発明の目的を達成することが可能である。
【０３５３】
５つ目の機能として、本発明の第１の実施の形態に係るセンサ情報処理装置は、センサ情報を無線伝送によりブロードキャストする複数のセンサ１について、センサ１に関する判別用情報を取得する受信部２１と、受信部２１によって取得された判別用情報が所定条件を満たすセンサ１を他のセンサ１と識別可能に表示する処理を行う処理部３１とからなる最小構成要素により、所定エリアの監視に関する優れた機能を提供するという本発明の目的を達成することが可能である。
【０３５４】
６つ目の機能として、本発明の第１の実施の形態に係るセンサ情報処理装置は、センサ情報を無線伝送によりブロードキャストする複数のセンサ１について、センサ１に関する判別用情報を取得し、かつセンサ情報を取得する受信部２１と、受信部２１によって取得された判別用情報が所定条件を満たすか否かに応じて、対応のセンサ１から取得したセンサ情報に基づく情報を保存するか否かを決定する処理を行う処理部３１とからなる最小構成要素により、所定エリアの監視に関する優れた機能を提供するという本発明の目的を達成することが可能である。
【０３５５】
７つ目の機能として、本発明の第１の実施の形態に係るセンサ情報処理装置は、所定エリアに配置された複数のセンサ１から無線送信されるセンサ情報を取得する受信部２１と、センサ１の状態情報を表示する処理を行い、受信部２１によって取得されたセンサ情報に基づいて、センサ情報に異常が生じた旨を示す状態情報を表示し、その後、状態情報を確認する操作が行われた場合、状態情報の表示態様を変更する処理部３１とからなる最小構成要素により、所定エリアの監視に関する優れた機能を提供するという本発明の目的を達成することが可能である。
【０３５６】
８つ目の機能として、本発明の第１の実施の形態に係るセンサ情報処理装置は、所定エリアに配置された複数のセンサ１から無線送信されるセンサ情報を取得する受信部２１と、受信部２１によって取得されたセンサ情報に基づいて、センサ１の電池残量に関する計測結果の履歴を表示する処理を行う処理部３１とからなる最小構成要素により、所定エリアの監視に関する優れた機能を提供するという本発明の目的を達成することが可能である。
【０３５７】
９つ目の機能として、本発明の第１の実施の形態に係るセンサ情報処理装置は、所定エリアに配置された複数のセンサ１から無線送信されるセンサ情報を取得する受信部２１と、センサ１から送信される無線信号に関する計測結果の履歴を表示する処理を行う処理部３１とからなる最小構成要素により、所定エリアの監視に関する優れた機能を提供するという本発明の目的を達成することが可能である。
【０３５８】
ところで、所定エリアを良好に監視するための技術が求められている。
【０３５９】
本発明の第１の実施の形態に係るセンサ情報処理装置では、受信部２１は、所定エリアに配置された複数のセンサ１から無線送信されるセンサ情報を取得する。処理部３１は、所定エリアの図面を表示する処理を行う。そして、処理部３１は、受信部２１によって取得されたセンサ情報に基づく、複数のセンサ１のうちの一部または全部のセンサ１のアイコンを、図面における対応位置に同時に表示する処理を行う。
【０３６０】
このような構成により、ユーザは、図面に表示されたアイコンを視認することで、アイコンの示すセンサ１から送信されたセンサ情報の内容を認識することができるので、工場等の所定エリアの状態を迅速かつ正しく認識することができる。したがって、所定エリアの監視に関する優れた機能を提供することができる。これにより、ユーザは、たとえば所定エリアの状態に適した処理を行うことができる。
【０３６１】
また、本発明の第１の実施の形態に係るセンサ情報処理装置では、受信部２１は、所定エリアに配置された複数のセンサ１から無線送信されるセンサ情報を取得する。処理部３１は、所定エリアの図面を表示する処理を行う。受信部２１は、センサ１から送信される無線信号を受信するアクセスポイント１５１経由でセンサ情報を取得し、アクセスポイント１５１による無線信号の計測結果を取得する。そして、処理部３１は、受信部２１によって取得された計測結果に基づく、複数のセンサ１のうちの一部または全部のセンサ１のアイコンを、図面における対応位置に同時に表示する処理を行う。
【０３６２】
このような構成により、ユーザは、図面上に表示されたアイコンを視認することで、計測結果の内容を認識することができるので、工場等の所定エリアにおける電波状態を迅速かつ正しく認識することができる。したがって、所定エリアの監視に関する優れた機能を提供することができる。これにより、ユーザは、たとえば所定エリアの電波状態に適した処理を行うことができる。
【０３６３】
また、本発明の第１の実施の形態に係るセンサ情報処理装置では、センサ情報は、センサ１の計測対象に関する計測結果を含む。
【０３６４】
このような構成により、ユーザは、図面上に表示されたアイコンを視認することで、所定エリアにおける計測対象たとえば設備および環境の状態を迅速かつ正しく認識することができる。
【０３６５】
また、本発明の第１の実施の形態に係るセンサ情報処理装置では、センサ情報は、センサ１の電池残量に関する計測結果を含む。
【０３６６】
このような構成により、ユーザは、図面上に表示されたアイコンを視認することで、アイコンの示すセンサ１の電池残量を迅速かつ正しく認識することができる。これにより、ユーザは、電池交換のタイミングを容易に認識することができるので、センサ１のメンテナンスの負荷を軽減することができる。
【０３６７】
また、本発明の第１の実施の形態に係るセンサ情報処理装置では、センサ情報は、センサ１の異常に関する判定結果を含む。
【０３６８】
このような構成により、ユーザは、図面上に表示されたアイコンを視認することで、アイコンの示すセンサ１の異常を迅速かつ正しく認識することができる。これにより、ユーザは、センサ１の修理または交換等の必要性を容易に認識することができるので、センサ１のメンテナンスの負荷を軽減することができる。
【０３６９】
また、本発明の第１の実施の形態に係るセンサ情報処理装置では、計測結果は、無線信号の品質を示すＬＱＩである。
【０３７０】
このような構成により、ユーザは、図面上に表示されたアイコンを視認することで、工場等の所定エリアにおける電波状態をＬＱＩという具体的な値で認識することができる。
【０３７１】
また、本発明の第１の実施の形態に係るセンサ情報処理装置では、処理部３１は、センサ情報の内容に応じて対応のアイコンの表示色を変更する。
【０３７２】
このように、センサ情報の内容の変化をアイコンの表示色に反映させる構成により、ユーザは、図面上に表示されたアイコンを視認することで、所定エリアの状態の変化を迅速かつ正しく認識することができる。
【０３７３】
また、本発明の第１の実施の形態に係るセンサ情報処理装置では、処理部３１は、センサ情報の内容に応じた対応のセンサ１の電池の交換時期を認識可能に表示する処理を行う。
【０３７４】
このような構成により、ユーザは、図面上に表示されたアイコンを視認することで、アイコンの示すセンサ１の電池の交換のタイミングを容易に認識することができるので、たとえばセンサ１のメンテナンスについての適切な管理スケジュールを作成することができる。これにより、センサの管理の負荷を軽減することができる。
【０３７５】
また、本発明の第１の実施の形態に係るセンサ情報処理装置では、処理部３１は、電池の交換時期までの日数を表示する処理を行う。
【０３７６】
このような構成により、ユーザは、図面上に表示されたアイコンを視認することで、アイコンの示すセンサ１の電池の交換のタイミングを容易かつ具体的に認識することができるので、より適切な管理スケジュールを作成することができる。これにより、センサの管理の負荷をさらに軽減することができる。
【０３７７】
また、本発明の第１の実施の形態に係るセンサ情報処理装置では、処理部３１は、図面における対応位置が未定であるアイコンを所定位置に表示する処理を行う。そして、処理部３１は、対応位置を指定する操作内容を示す操作情報に基づいてアイコンの表示位置を所定位置から対応位置に変更する。
【０３７８】
このような構成により、ユーザは、図面上に表示されたアイコンが対応位置に表示されているか否かを容易に認識することができるので、図面におけるアイコンの配置処理の作業性を高めることができる。
【０３７９】
また、本発明の第１の実施の形態に係るセンサ情報処理装置では、処理部３１は、受信部２１においてセンサ情報が所定時間以上取得されない場合に、対応のセンサ１のアイコンの表示態様を変更する。
【０３８０】
このような構成により、ユーザは、図面上に表示されたアイコンを視認することで、センサ情報を送信しない異常なセンサ１を容易に認識することができる。
【０３８１】
また、本発明の第１の実施の形態に係るセンサ情報処理装置では、受信部２１は、所定エリアに配置された複数のセンサ１から無線送信されるセンサ情報を取得する。そして、処理部３１は、受信部２１によって取得されたセンサ情報の示す値と複数のしきい値とを比較し、比較結果に応じて異なる処理を行う。
【０３８２】
このような構成により、工場等の所定エリアの状態を少なくとも３つのレベルで表すことができるので、ユーザは、たとえばレベルに応じた適切な処理を行うことができる。したがって、所定エリアの監視に関する優れた機能を提供することができる。
【０３８３】
また、本発明の第１の実施の形態に係るセンサ情報処理装置では、処理部３１は、所定エリアの図面を表示するとともに、図面における対応位置に１または複数のセンサ１のアイコンを表示する処理を行い、比較結果に応じてアイコンの表示態様を変更する。
【０３８４】
このように、所定エリアの状態のレベルをアイコンの表示態様に反映させる構成により、ユーザは、図面上に表示されたアイコンを視認することで、所定エリアの状態のレベルの変化を迅速かつ正しく認識することができる。
【０３８５】
また、本発明の第１の実施の形態に係るセンサ情報処理装置では、複数のしきい値は、上限しきい値および下限しきい値を含む。そして、処理部３１は、センサ情報の示す値が上限しきい値を上回った場合と、当該値が下限しきい値を下回ったとで異なる処理を行う。
【０３８６】
このような構成により、所定エリアの状態が、たとえば標準レベルの状態から上のレベルの状態へ遷移するか、または標準レベルの状態から下のレベルの状態へ遷移するかに応じて適切な処理を行うことができる。
【０３８７】
また、本発明の第１の実施の形態に係るセンサ情報処理装置では、受信部２１は、所定エリアに配置された複数のセンサ１から無線送信されるセンサ情報を取得する。そして、処理部３１は、受信部２１によって取得されたセンサ情報が所定条件を満たすセンサ１の数に応じて異なる処理を行う。
【０３８８】
このような構成により、異常なセンサ情報を送信するセンサ１の個数に基づいて、たとえば、工場等の所定エリアにおける異常領域の大きさを認識することができるので、認識した大きさに応じて適切な処理を行うことができる。したがって、所定エリアの監視に関する優れた機能を提供することができる。
【０３８９】
また、本発明の第１の実施の形態に係るセンサ情報処理装置では、受信部２１は、センサ情報を無線伝送によりブロードキャストする複数のセンサ１について、センサ１に関する判別用情報を取得する。そして、処理部３１は、受信部２１によって取得された判別用情報が所定条件を満たすセンサ１を他のセンサ１と識別可能に表示する処理を行う。
【０３９０】
このように、たとえば、取得すべきセンサ情報を送信するセンサ１を、取得すべきでないセンサ情報を送信するセンサ１と識別可能に表示する構成により、ユーザは、複数のセンサ１のうちの、センサ情報の取得対象のセンサ１を迅速かつ正しく認識することができる。したがって、所定エリアの監視に関する優れた機能を提供することができる。
【０３９１】
また、本発明の第１の実施の形態に係るセンサ情報処理装置では、受信部２１は、センサ情報を無線伝送によりブロードキャストする複数のセンサ１について、センサ１に関する判別用情報を取得し、かつセンサ情報を取得する。そして、処理部３１は、受信部２１によって取得された判別用情報が所定条件を満たすか否かに応じて、対応のセンサ１から取得したセンサ情報に基づく情報を保存するか否かを決定する処理を行う。
【０３９２】
このような構成により、複数のセンサ１のうちの、保存対象でないセンサ情報を送信するセンサ１、および保存対象のセンサ情報を送信するセンサ１を自動的に識別することができる。したがって、所定エリアの監視に関する優れた機能を提供することができる。
【０３９３】
また、本発明の第１の実施の形態に係るセンサ情報処理装置では、判別用情報は、センサ１の識別情報を含む。そして、所定条件は、センサ１の識別情報が登録されていることを含む。
【０３９４】
このような構成により、たとえば、センサ１の識別情報が登録されているか否かに基づいて、取得対象または保存対象のセンサ情報を送信するセンサ１と他のセンサ１とを容易に識別することができる。
【０３９５】
また、本発明の第１の実施の形態に係るセンサ情報処理装置では、受信部２１は、センサ１から送信される無線信号を受信するアクセスポイント１５１経由でセンサ情報を取得する。そして、判別用情報は、アクセスポイント１５１の識別情報を含む。そして、所定条件は、アクセスポイント１５１の識別情報が登録されていることを含む。
【０３９６】
このような構成により、たとえば、アクセスポイント１５１の識別情報が登録されているか否かに基づいて、取得対象または保存対象のセンサ情報を中継するアクセスポイント１５１と他のアクセスポイント１５１とを容易に識別することができる。
【０３９７】
また、本発明の第１の実施の形態に係るセンサ情報処理装置では、判別用情報は、センサ１の通信プロトコルのバージョンを含む。そして、所定条件は、当該バージョンが登録されていることを含む。
【０３９８】
このような構成により、たとえば、センサ１の通信プロトコルのバージョンが登録されているか否かに基づいて、取得対象または保存対象のセンサ情報を送信するセンサ１と他のセンサ１とを容易に識別することができる。
【０３９９】
また、本発明の第１の実施の形態に係るセンサ情報処理装置では、受信部２１は、所定エリアに配置された複数のセンサ１から無線送信されるセンサ情報を取得する。処理部３１は、センサ１の状態情報を表示する処理を行う。そして、処理部３１は、受信部２１によって取得されたセンサ情報に基づいて、センサ情報に異常が生じた旨を示す状態情報を表示し、その後、状態情報を確認する操作が行われた場合、状態情報の表示態様を変更する。
【０４００】
このように、センサ情報の異常を表示し、異常の確認後に表示態様を変更する構成により、ユーザは、状態情報の内容を視認することで、確認済みの異常と比べて、未確認の異常をより容易に認識することができるので、工場等の所定エリアの状態を迅速かつ正しく認識することができる。したがって、所定エリアの監視に関する優れた機能を提供することができる。これにより、ユーザは、たとえば所定エリアの状態に適した処理を行うことができる。
【０４０１】
また、本発明の第１の実施の形態に係るセンサ情報処理装置では、受信部２１は、所定エリアに配置された複数のセンサ１から無線送信されるセンサ情報を取得する。そして、処理部３１は、受信部２１によって取得されたセンサ情報に基づいて、センサ１の電池残量に関する計測結果の履歴を表示する処理を行う。
【０４０２】
このような構成により、ユーザは、センサ１の電池残量に関する計測結果の履歴を視認することで、センサ１の電池残量の時間変化を迅速かつ正しく認識することができる。これにより、ユーザは、電池の放電特性および電池交換のタイミング等を容易に認識することができる。したがって、所定エリアの監視に関する優れた機能を提供することができる。
【０４０３】
また、本発明の第１の実施の形態に係るセンサ情報処理装置では、受信部２１は、所定エリアに配置された複数のセンサ１から無線送信されるセンサ情報を取得する。そして、処理部３１は、センサ１から送信される無線信号に関する計測結果の履歴を表示する処理を行う。
【０４０４】
このような構成により、ユーザは、センサ１から送信される無線信号に関する計測結果の履歴を視認することで、無線通信の通信状況の時間変化を迅速かつ正しく認識することができる。これにより、ユーザは、通信障害の原因、たとえば、工場において電波障害を発生させるクレーンの移動があったことを容易に認識することができる。したがって、所定エリアの監視に関する優れた機能を提供することができる。
【０４０５】
また、本発明の第１の実施の形態に係るセンサ情報処理装置では、受信部２１は、センサ１から送信される無線信号を受信するアクセスポイント１５１経由でセンサ情報を取得する。そして、処理部３１は、１つのセンサ１から送信される無線信号の複数のアクセスポイント１５１による計測結果を表示する処理を行う。
【０４０６】
このような構成により、ユーザは、複数の通信ルートについての計測結果の履歴を迅速かつ正しく認識することができるので、所定エリアにおいて、冗長性を確保するためのセンサ１およびアクセスポイント１５１の適切な配置を構築することができる。
【０４０７】
次に、本発明の他の実施の形態について図面を用いて説明する。なお、図中同一または相当部分には同一符号を付してその説明は繰り返さない。
【０４０８】
＜第２の実施の形態＞
本実施の形態は、第１の実施の形態に係るセンサ情報処理装置と比べてセンサに連動した処理を行うセンサ情報処理装置に関する。以下で説明する内容以外は第１の実施の形態に係るセンサ情報処理装置と同様である。
【０４０９】
［構成および基本動作］
図３０は、本発明の第２の実施の形態に係るセンサ情報処理システムの構成を示す図である。
【０４１０】
図３０を参照して、センサ情報処理システム３０２は、複数のセンサ１と、センサ情報処理装置１０２とを備える。
【０４１１】
図３１は、本発明の第２の実施の形態に係るセンサ情報処理システムにおけるセンサが設けられた工場の一例を示す図である。図３１の見方は、図２と同様である。
【０４１２】
図３１を参照して、工場５において、２つのアクセスポイント１５１と、５つのセンサ１と、１つのカメラ１２１と、１つの警告灯１１１とが設けられる。なお、工場５において、複数のカメラ１２１が設けられてもよいし、複数の警告灯１１１が設けられてもよい。
【０４１３】
［センサ情報処理装置］
図３２は、本発明の第２の実施の形態に係る機器管理システムにおけるセンサ情報処理装置の構成を示す図である。
【０４１４】
図３２を参照して、センサ情報処理装置１０１は、図３に示すセンサ情報処理装置１０１と比べて、処理部３１の代わりに処理部３２を備え、さらに送信部２４を備える。
【０４１５】
センサ情報処理装置１０２における受信部２１、記憶部２２および受付部２３の動作は、図３に示すセンサ情報処理装置１０１における受信部２１、記憶部２２および受付部２３とそれぞれ同様である。
【０４１６】
［センサに連動する装置および報知範囲の登録時における画面の遷移］
図３３〜図３６は、本発明の第２の実施の形態に係るセンサ情報処理システムにおいて、表示装置に表示された画面の一例を示す図である。図３３には、センサ１に連動させるカメラ１２１を設定するための画面Ｓｃｐが示される。
【０４１７】
図３３に示す画面Ｓｃｐには、上述の領域Ｒｇ４と、センサ１に連動させるカメラ１２１を設定するための領域Ｒｇ１６とが含まれる。
【０４１８】
ユーザは、領域Ｒｇ４における「デバイス管理」を示すメニューアイテムＩｔ３をクリックすることにより「カメラ設定」を示すリンクＬｋ１２を表示させた後、リンクＬｋ１２をクリックする。領域Ｒｇ１６は、ユーザによるリンクＬｋ１２のクリックに応答して表示される。
【０４１９】
領域Ｒｇ１６には、登録されたカメラ１２１の名称を選択するためのドロップダウンリストＤＬ１７が表示される。ドロップダウンリストＤＬ１７は、リストを有しており、当該リストには、たとえばユーザによって予め登録されたカメラ１２１の名称を示すリストアイテムが含まれる。
【０４２０】
領域Ｒｇ１６には、カメラ１２１を遠隔制御するためのユーザ名、カメラ１２１の名称およびカメラ１２１のＩＰアドレスを入力するためのテキストボックスＴＢ１８、ＴＢ１９およびＴＢ２０がそれぞれ表示される。たとえば、ユーザ名に対応するパスワードを入力する場合、ボタンＢｔ４２をクリックすることによりパスワードを入力するための図示しないポップアップ画面が表示されるので、ユーザは、パスワードを入力することが可能である。
【０４２１】
また、カメラ１２１では、当該カメラ１２１の向きおよび倍率等のプリセットが設定されている。このプリセットは、管理番号により管理される。ユーザは、リストＬｔ１１において、プリセットの内容を当該プリセットの管理番号に対応するリストアイテムに書きこむ。これにより、カメラ１２１に設定されたプリセットの内容を分かりやすく登録することが可能である。
【０４２２】
ボタンＢｔ４１がユーザによりクリックされると、対象のカメラ１２１に対する設定の編集結果が登録される。
【０４２３】
また、図示しないが、警告灯１１１の名称およびＩＰアドレスについても、カメラ１２１の名称およびＩＰアドレスと同様に設定することが可能である。
【０４２４】
図３４には、デバイスに連動させるセンサ１を選択するための画面Ｓｃｐが示される。図３４に示す画面Ｓｃｐには、上述の領域Ｒｇ４と、機器と連動させるセンサ１を検索および選択するための領域Ｒｇ１３とが含まれる。
【０４２５】
ユーザは、領域Ｒｇ４における「デバイス制御」を示すリンクＬｋ９をクリックする。図３４に示す領域Ｒｇ１３は、ユーザによるリンクＬｋ９のクリックに応答して表示される。
【０４２６】
領域Ｒｇ１３には、ドロップダウンリストＤＬ７、テキストボックスＴＢ１２およびボタンＢｔ２５が表示される。ドロップダウンリストＤＬ７、テキストボックスＴＢ１２およびボタンＢｔ２５の動作は、図１１に示すドロップダウンリストＤＬ４、テキストボックスＴＢ８およびボタンＢｔ２３とそれぞれ同様である。
【０４２７】
図３４に示す画面Ｓｃｐでは、ユーザによるボタンＢｔ２５のクリックに応答して、検索条件を満たすセンサ１を示すリストＬｔ７が表示される。この例では、「テストセンサ」のセンサ名を有するセンサ１がリストＬｔ７に表示される。
【０４２８】
ユーザは、リストＬｔ７における「テストセンサ」を示すリンクＬｋ１０をクリックすることにより、「テストセンサ」の名称を有するセンサ１に連動する機器の設定を編集することが可能である。
【０４２９】
図３５には、センサ１に連動する機器、具体的には警告灯１１１およびカメラ１２１の設定を編集するための画面Ｓｃｐが示される。図３５に示す画面Ｓｃｐには、上述の領域Ｒｇ４と、センサ１に連動する警告灯１１１およびカメラ１２１の設定を編集するための領域Ｒｇ１４とが含まれる。
【０４３０】
図３５に示す領域Ｒｇ１４は、ユーザによるリンクＬｋ１０のクリックに応答して表示される。
【０４３１】
領域Ｒｇ１４には、連動対象のセンサ１の「名前」を表示するためのテキストボックスＴＢ１３が表示される。テキストボックスＴＢ１３は、たとえば編集不可に設定されている。
【０４３２】
また、領域Ｒｇ１４には、非正常状態Ｓｔ１〜Ｓｔ４を設定するためのドロップダウンリストＤＬ１０、センサ１に連動させる警告灯１１１の名称を選択するためのドロップダウンリストＤＬ８、およびセンサ１に連動させる警告灯１１１の動作を選択するためのドロップダウンリストＤＬ９が表示される。
【０４３３】
ドロップダウンリストＤＬ１０は、リストを有しており、当該リストには、たとえば、非正常状態Ｓｔ１、Ｓｔ２、Ｓｔ３およびＳｔ４にそれぞれ対応する、「注意上限のしきい値を上回った場合、」、「警告上限のしきい値を上回った場合、」、「注意下告のしきい値を下回った場合、」および「注意下限のしきい値を下回った場合」をそれぞれ示すリストアイテムが含まれる。
【０４３４】
ドロップダウンリストＤＬ８は、リストを有しており、当該リストには、たとえばユーザによって予め登録された警告灯１１１の名称を示すリストアイテムが含まれる。
【０４３５】
ドロップダウンリストＤＬ９は、リストを有しており、当該リストには、たとえば「赤色で発行する」、「黄色で発行する」および「動作しない」をそれぞれ示すリストアイテムが含まれる。
【０４３６】
ユーザは、ドロップダウンリストＤＬ１０を操作して所望の非正常状態を選択した後、ドロップダウンリストＤＬ８を操作して所望の警告灯１１１の名称を選択する。そして、ユーザは、ボタンＢｔ２８をクリックすることにより、選択した当該警告灯１１１の名称をリストＬｔ８にリストアップさせることが可能である。
【０４３７】
また、ユーザは、ボタンＢｔ２７をクリックすることにより、登録されている警告灯１１１の名称のすべてをリストＬｔ８にリストアップさせることが可能である。
【０４３８】
また、ユーザは、ボタンＢｔ２９をクリックすることにより、リストＬｔ８にリストアップされた警告灯１１１の名称のすべてを削除することが可能である。また、ユーザは、リストＬｔ８にリストアップされた１または複数の警告灯１１１の名称を選択した後、ボタンＢｔ３０をクリックすることにより、選択した当該警告灯１１１の名称をリストＬｔ８から削除することが可能である。
【０４３９】
ユーザは、ドロップダウンリストＤＬ９を操作することにより、ドロップダウンリストＤＬ１０において設定された非正常状態において、リストＬｔ８にリストアップされた警告灯１１１に対する所望の動作内容を設定する。
【０４４０】
また、領域Ｒｇ１４には、非正常状態Ｓｔ１〜Ｓｔ４を設定するためのドロップダウンリストＤＬ１８、センサ１に連動させるカメラ１２１の名称を選択するためのドロップダウンリストＤＬ１３およびセンサ１に連動させるカメラ１２１の動作を選択するためのドロップダウンリストＤＬ１４が表示される。ドロップダウンリストＤＬ１８の動作は、ドロップダウンリストＤＬ１０と同様である。
【０４４１】
ドロップダウンリストＤＬ１３は、リストを有しており、当該リストには、図３３に示す画面Ｓｃｐにおいてユーザによって登録されたカメラ１２１の名称を示すリストアイテムが含まれる。
【０４４２】
ドロップダウンリストＤＬ１４は、リストを有しており、当該リストには、図３３に示す画面Ｓｃｐにおいてユーザによって登録されたカメラ１２１の動作の内容すなわちプリセットを示すリストアイテムが含まれる。
【０４４３】
ユーザは、ドロップダウンリストＤＬ１８を操作して所望の状態を選択した後、ドロップダウンリストＤＬ１３およびＤＬ１４をそれぞれ操作することにより、所望のカメラ１２１の名称、および当該名称を有するカメラ１２１に対する所望の動作を選択する。
【０４４４】
そして、ユーザは、ボタンＢｔ３１をクリックすることにより、ドロップダウンリストＤＬ１８において選択された状態に対応する、選択したカメラ１２１の名称および対応の動作の内容をリストＬｔ９にリストアップさせることが可能である。
【０４４５】
また、ユーザは、ボタンＢｔ３２またはＢｔ３３をクリックすることにより、リストＬｔ９における対応のリストアイテムを削除することが可能である。
【０４４６】
ボタンＢｔ２６がユーザによりクリックされると、センサ１に連動する警告灯１１１およびカメラ１２１に対する設定の編集結果が登録される。
【０４４７】
図３６に示す画面Ｓｃには、上述の領域Ｒｇ４と、報知範囲を設定するための領域Ｒｇ１５とが含まれる。
【０４４８】
ユーザは、領域Ｒｇ４における「メール管理」を示すリンクＬｋ１１をクリックする。図３６に示す領域Ｒｇ１５は、ユーザによるリンクＬｋ１１のクリックに応答して表示される。
【０４４９】
領域Ｒｇ１５には、「メールサーバ」、「メールアカウント」、「送信元メールアドレス」および「返信先メールアドレス」をそれぞれ表示するためのテキストボックスＴＢ１４、テキストボックスＴＢ１５、テキストボックスＴＢ１６およびテキストボックスＴＢ１７が表示される。また、領域Ｒｇ１５には、メールサーバの認証の有無を設定するためのチェックボックスＣＢ１が表示される。
【０４５０】
また、領域Ｒｇ１５には、非正常状態Ｓｔ１〜Ｓｔ４を設定するためのドロップダウンリストＤＬ１５が表示される。ドロップダウンリストＤＬ１５の動作は、図３５に示すドロップダウンリストＤＬ１０と同様である。
【０４５１】
ユーザは、ドロップダウンリストＤＬ１５を操作して所望の状態を選択した後、ドロップダウンリストＤＬ１６を操作して宛先の種別を選択するとともに、送信先のメールアドレスをテキストボックスＴＢ１８に入力する。ここで、宛先の種別は、「ＴＯ」、「ＣＣ（カーボンコピー）」および「ＢＣＣ（ブラインドカーボンコピー）」等である。
【０４５２】
そして、ユーザは、ボタンＢｔ３６をクリックすることにより、ドロップダウンリストＤＬ１５において選択された状態に対応する、宛先の種別および送信先メールアドレスをリストＬｔ１０にリストアップさせることが可能である。
【０４５３】
また、ユーザは、ボタンＢｔ３７、Ｂｔ３８、Ｂｔ３９またはＢｔ４０をクリックすることにより、リストＬｔ１０における対応のリストアイテムを削除することが可能である。
【０４５４】
ボタンＢｔ３５がユーザによりクリックされると、メール設定の編集結果が登録される。
【０４５５】
再び図３２を参照して、受付部２３は、取得部として、センサ１と警告灯１１１およびカメラ１２１とを対応付ける操作を示す操作情報を取得する。具体的には、受付部２３は、ユーザが図３５に示す画面Ｓｃｐに対して行った操作内容を示す操作情報Ｍ１を取得すると、取得した操作情報Ｍ１を処理部３２へ出力する。また、受付部２３は、ユーザが図３６に示す画面Ｓｃｐに対して行った操作内容を示す操作情報Ｍ２を取得すると、取得した操作情報Ｍ２を処理部３２へ出力する。
【０４５６】
処理部３２は、受付部２３から受ける操作情報Ｍ１に基づいて、センサ１に連動するカメラ１２１のＩＰアドレスおよび警告灯１１１のＩＰアドレスを示すＩＰアドレス情報、当該カメラ１２１のユーザ名およびパスワードを示す認証情報、非正常状態ごとの当該カメラ１２１の動作内容を示すカメラ動作情報、ならびに非正常状態ごとの当該警告灯１１１の動作内容を示す警告灯動作情報を含む連動情報を作成する。処理部３２は、作成した連動情報をセンサ１のＩＤに対応付けて記憶部２２に保存する。
【０４５７】
また、処理部３２は、受付部２３から受ける操作情報Ｍ２に基づいて、非正常状態ごとの送信先のメールアドレスを示す報知先情報を作成し、作成した報知先情報をセンサ１のＩＤに対応付けて記憶部２２に保存する。
【０４５８】
処理部３２は、機器の動作を制御可能であり、受信部２１によって取得された操作情報に基づいて、受信部２１によって取得されたセンサ情報が所定条件を満たすセンサ１に対応する機器を起動するか、または所定の動作を行わせる。
【０４５９】
処理部３２は、受信部２１によって取得されたセンサ情報の示す値と複数のしきい値とを比較する。
【０４６０】
具体的には、処理部３２は、受信部２１からセンサ情報を受けると、受けたセンサ情報が、上述の条件Ｃ１，Ｃ２，Ｃ３，Ｃ４の少なくともいずれか１つを満たす計測情報（以下、非正常計測情報とも称する。）を含むか否かを判定する判定処理を行う。
【０４６１】
そして、処理部３２は、比較結果に応じて異なる処理を行う、より詳細には、比較結果に応じて所定エリアに関する処理を行う。たとえば、処理部３２は、比較結果に応じて機器の動作内容を変更する。
【０４６２】
具体的には、処理部３２は、センサ情報が非正常計測情報を含むと判定した場合、当該センサ情報の送信元のセンサ１のＩＤに対応付けられた連動情報が記憶部２２に保存されているか否かを確認する。
【０４６３】
処理部３２は、対応の連動情報の保存を確認した場合、当該連動情報に含まれる警告灯動作情報に基づいて警告灯制御情報を作成する。
【０４６４】
より詳細には、処理部３２は、満たされた条件に対応する非正常状態を特定し、特定した非正常状態に対応する動作内容、具体的には、図３５に示すドロップダウンリストＤＬ１０において設定された状態に対応する、ドロップダウンリストＤＬ９において設定された動作内容を示す警告灯制御情報を作成する。
【０４６５】
処理部３２は、作成した警告灯制御情報の宛先として、ＩＰアドレス情報に基づいて、図３５に示すリストＬｔ８にリストアップされた警告灯１１１のＩＰアドレスを特定し、特定したＩＰアドレスを示す警告灯アドレス情報を作成する。
【０４６６】
処理部３２は、作成した警告灯制御情報および警告灯アドレス情報を送信部２４へ出力する。
【０４６７】
また、処理部３２は、当該連動情報に含まれるカメラ動作情報に基づいてカメラ制御情報を作成する。より詳細には、処理部３２は、特定した非正常状態に対応する動作内容、具体的には、図３５に示すドロップダウンリストＤＬ１８において設定された状態に対応する、リストＬｔ９において設定された動作内容を示すカメラ制御情報を作成する。
【０４６８】
処理部３２は、作成したカメラ制御情報の宛先として、ＩＰアドレス情報に基づいて、図３５に示すリストＬｔ９にリストアップされたカメラ１２１のＩＰアドレスを特定し、特定したＩＰアドレスを示すカメラアドレス情報を作成する。また、処理部３２は、リストＬｔ９にリストアップされたカメラ１２１の認証情報を記憶部２２から取得する。
【０４６９】
処理部３２は、カメラ制御情報、カメラアドレス情報および認証情報を送信部２４へ出力する。
【０４７０】
送信部２４は、警告灯制御情報および警告灯アドレス情報を処理部３２から受けると、受けた警告灯アドレス情報の示すＩＰアドレスを宛先として警告灯制御情報を内部ネットワーク１１経由で警告灯１１１へ送信する。
【０４７１】
また、送信部２４は、カメラ制御情報、カメラアドレス情報および認証情報を処理部３２から受けると、受けたカメラアドレス情報の示すＩＰアドレスを宛先としてカメラ制御情報および認証情報を内部ネットワーク１１経由でカメラ１２１へ送信する。
【０４７２】
再び図３０を参照して、警告灯１１１は、センサ情報処理装置１０２から警告灯制御情報を受信すると、受信した警告灯制御情報に従って動作する。また、カメラ１２１は、センサ情報処理装置１０２からカメラ制御情報および認証情報を受信すると、受信した認証情報について認証処理を行った後、カメラ制御情報に従って動作する。
【０４７３】
これにより、警告灯１１１またはカメラ１２１は、動作していない場合、動作を開始する。すなわち、所定条件を満たすセンサ１に対応する機器が起動する。また、警告灯１１１またはカメラ１２１は、動作している場合、動作を変更する。
【０４７４】
再び図３２を参照して、処理部３２は、たとえば、所定エリアに関する報知処理を行い、比較結果に応じて報知先の範囲を変更する。また、処理部３２は、たとえば、比較結果に応じて報知内容を変更する。
【０４７５】
具体的には、処理部３２は、センサ情報が非正常計測情報を含むと判定した場合、当該センサ情報の送信元のセンサ１のＩＤに対応付けられた報知先情報が記憶部２２に保存されているか否かを確認する。
【０４７６】
処理部３２は、対応の報知先情報の保存を確認した場合、当該報知先情報に基づいて、メールの宛先を示す宛先情報を作成する。より詳細には、処理部３２は、満たされた条件に対応する非正常状態を特定し、特定した非正常状態に対応するメールの宛先、具体的には、図３６に示すドロップダウンリストＤＬ１５において設定された状態に対応する、リストＬｔ１０において設定された宛先種別およびメールアドレスを示す宛先情報を作成する。
【０４７７】
また、処理部３２は、たとえば満たされた条件の内容を示すメール情報を作成する。処理部３２は、作成した宛先情報およびメール情報を送信部２４へ出力する。
【０４７８】
送信部２４は、宛先情報およびメール情報を処理部３２から受けると、受けた宛先情報の示すメールアドレスを宛先として、メール情報の内容を含むメールを、宛先情報の示す種別で内部ネットワーク１１またはインターネット経由で宛先の装置またはサーバへ送信する。
【０４７９】
［センサ情報処理装置１０２の変形例１］
処理部３２は、受信部２１によって取得されたセンサ情報が所定条件を満たすセンサ１の数に応じて異なる処理を行う、より詳細には、比較結果に応じて所定エリアに関する処理を行う。
【０４８０】
より詳細には、処理部３２は、たとえば、工場５における各センサ１のうち、条件Ｃ１を満たす計測情報を含むセンサ情報を送信したセンサ１の個数が所定個数Ｎ１以下である場合、非正常状態Ｓｔ１に対応するメールの宛先を示す宛先情報を作成するとともに、条件Ｃ１を満たすことを示すメール情報を作成する。
【０４８１】
一方、処理部３２は、当該個数が所定個数Ｎ１より多い場合、非正常状態Ｓｔ２に対応するメールの宛先を示す宛先情報を作成するとともに、条件Ｃ１を満たすセンサ情報を送信するセンサ１の個数が所定個数Ｎ１より多いことを示すメール情報を作成する。
【０４８２】
［センサ情報処理装置１０２の変形例２］
処理部３２は、たとえば、比較結果に応じて制御対象の機器を変更する。具体的には、処理部３２は、たとえば、センサ情報が条件Ｃ１またはＣ３を満たす計測情報を含む場合、警告灯制御情報および警告灯アドレス情報を作成して送信部２４へ出力する。また、処理部３２は、たとえば、センサ情報が条件Ｃ２またはＣ４を満たす計測情報を含む場合、カメラ制御情報およびカメラアドレス情報を作成し、作成したカメラ制御情報およびカメラアドレス情報、ならびに記憶部２２から取得した認証情報を送信部２４へ出力する。
【０４８３】
［センサ情報処理装置１０２の変形例３］
受信部２１は、センサ１と機器とを対応付ける操作を示す操作情報を取得する。
【０４８４】
再び図３０および図３１を参照して、たとえば、ユーザの携帯する無線端末装置２、たとえばスマートホンにおいて、図３３〜図３６に示す画面Ｓｃｐを表示することが可能である。
【０４８５】
ユーザは、たとえば工場５に位置している。ユーザは、工場５に設けられた警告灯１１１、カメラ１２１および各センサ１の位置関係を確認しながら、無線端末装置２において表示される、図３３〜図３６に示す画面Ｓｃｐに対して操作を行う。無線端末装置２は、ユーザによる操作を受け付け、受け付けた操作内容を示す操作情報を作成してアクセスポイント１５１経由でセンサ情報処理装置１０２へ送信する。
【０４８６】
再び図３２を参照して、受信部２１は、操作情報を無線端末装置２から受信すると、受信した操作情報を処理部３２へ出力する。
【０４８７】
［動作］
図３７は、本発明の第２の実施の形態に係るセンサ情報処理装置がセンサ情報に基づいて機器制御および報知処理を行う際の動作手順を定めたフローチャートである。
【０４８８】
まず、センサ情報処理装置１０２は、複数のセンサ１のうちの少なくともいずれか１つからセンサ情報を受信するまで待機する（ステップＳ２０２でＮＯ）。
【０４８９】
センサ情報処理装置１０２は、センサ１からセンサ情報を受信すると（ステップＳ２０２でＹＥＳ）、センサ情報が非正常計測情報を含む場合（ステップＳ２０４でＹＥＳ）、以下の処理を行う。
【０４９０】
すなわち、センサ情報処理装置１０２は、非正常計測情報の満たす条件を特定し、特定した条件に対応する非正常状態を特定する（ステップＳ２０６）。
【０４９１】
次に、センサ情報処理装置１０２は、センサ情報の送信元のセンサ１のＩＤに対応付けられた連動情報が記憶部２２に保存されているか否かを確認し（ステップＳ２０８）、当該連動情報が記憶部２２に保存されていると確認した場合（ステップＳ２０８でＹＥＳ）、特定した非正常状態に応じた警告灯制御情報および警告灯アドレス情報を作成する（ステップＳ２１０）。
【０４９２】
次に、センサ情報処理装置１０２は、特定した非正常状態に応じたカメラ制御情報およびカメラアドレス情報を作成する（ステップＳ２１２）。
【０４９３】
次に、センサ情報処理装置１０２は、作成した警告灯アドレス情報およびカメラアドレス情報をそれぞれ用いて、警告灯制御情報およびカメラ制御情報を警告灯１１１およびカメラ１２１へ送信する（ステップＳ２１４）。
【０４９４】
次に、センサ情報処理装置１０２は、警告灯制御情報およびカメラ制御情報を送信するか（ステップＳ２１４）、または上記連動情報が記憶部２２に保存されていないと確認すると（ステップＳ２０８でＮＯ）、以下の処理を行う。
【０４９５】
すなわち、センサ情報処理装置１０２は、センサ情報の送信元のセンサ１のＩＤに対応付けられた報知先情報が記憶部２２に保存されているか否かを確認し（ステップＳ２１６）、当該報知先情報が記憶部２２に保存されていると確認した場合（ステップＳ２１６でＹＥＳ）、特定した非正常状態に応じた宛先情報およびメール情報を作成する（ステップＳ２１８）。
【０４９６】
次に、センサ情報処理装置１０２は、作成した宛先情報を用いて、メール情報の内容を含むメールを宛先の装置またはサーバへ送信する（ステップＳ２２０）。
【０４９７】
次に、センサ情報処理装置１０２は、センサ情報が非正常計測情報を含まないか（ステップＳ２０４でＮＯ）、上記報知先情報が記憶部２２に保存されていないと確認するか（ステップＳ２１６でＮＯ）、またはメール情報の内容を含むメールを送信すると（ステップＳ２２０）、複数のセンサ１のうちの少なくともいずれか１つから新たなセンサ情報を受信するまで待機する（ステップＳ２０２でＮＯ）。
【０４９８】
なお、上記ステップＳ２０８〜Ｓ２１４とステップＳ２１６〜Ｓ２２０との順番は、上記に限らず、順番を入れ替えてもよい。
【０４９９】
また、本発明の第２の実施の形態に係るセンサ情報処理装置１０２では、処理部３２は、受信部２１によって取得されたセンサ情報の示す値と４つのしきい値とを比較する構成であるとしたが、これに限定するものではない。処理部３２は、センサ情報の示す値と１つ、２つ、３つまたは５つ以上のしきい値とを比較する構成であってもよい。
【０５００】
また、本発明の第２の実施の形態に係るセンサ情報処理装置では、処理部３２は、工場５における各センサ１のうち、条件Ｃ１〜Ｃ４の少なくともいずれか１つを満たすセンサ情報を送信したセンサ１の数に応じて異なる処理を行う構成であるとしたが、これに限定するものではない。処理部３２は、他の条件を満たすセンサ１の数に応じて異なる処理を行う構成であってもよい。
【０５０１】
また、本発明の第２の実施の形態に係るセンサ情報処理装置は、以下の３つの機能の各々を実現するステップをそれぞれ含む３つのプログラムを図示しないメモリから読み出して実行する。これらのプログラムは、外部からインストールすることができる。
【０５０２】
１つ目の機能として、本発明の第２の実施の形態に係るセンサ情報処理装置は、所定エリアに配置された複数のセンサ１から無線送信されるセンサ情報を取得する受信部２１と、受信部２１によって取得されたセンサ情報の示す値と複数のしきい値とを比較し、比較結果に応じて異なる処理を行う処理部３２とからなる最小構成要素により、所定エリアの監視に関する優れた機能を提供するという本発明の目的を達成することが可能である。
【０５０３】
２つ目の機能として、本発明の第２の実施の形態に係るセンサ情報処理装置は、所定エリアに配置された複数のセンサ１から無線送信されるセンサ情報を取得する受信部２１と、受信部２１によって取得されたセンサ情報が所定条件を満たすセンサ１の数に応じて異なる処理を行う処理部３２とからなる最小構成要素により、所定エリアの監視に関する優れた機能を提供するという本発明の目的を達成することが可能である。
【０５０４】
３つ目の機能として、本発明の第２の実施の形態に係るセンサ情報処理装置は、所定エリアに配置された複数のセンサ１から無線送信されるセンサ情報、およびセンサ１と機器とを対応付ける操作を示す操作情報を取得する受信部２１と、機器の動作を制御可能であり、受信部２１によって取得された操作情報に基づいて、受信部２１によって取得されたセンサ情報が所定条件を満たすセンサ１に対応する機器を起動するか、または所定の動作を行わせる処理部３２とからなる最小構成要素により、所定エリアの監視に関する優れた機能を提供するという本発明の目的を達成することが可能である。
【０５０５】
以上のように、本発明の第２の実施の形態に係るセンサ情報処理装置では、受信部２１は、所定エリアに配置された複数のセンサ１から無線送信されるセンサ情報を取得する。そして、処理部３２は、受信部２１によって取得されたセンサ情報の示す値と複数のしきい値とを比較し、比較結果に応じて異なる処理を行う。
【０５０６】
このような構成により、工場等の所定エリアの状態を少なくとも３つのレベルで表すことができるので、ユーザは、たとえばレベルに応じた適切な処理を行うことができる。したがって、所定エリアの監視に関する優れた機能を提供することができる。
【０５０７】
また、本発明の第２の実施の形態に係るセンサ情報処理装置では、処理部３２は、所定エリアに関する報知処理を行い、比較結果に応じて報知先の範囲を変更する。
【０５０８】
このように、所定エリアの状態のレベルに応じて報知先の範囲を変更する構成により、報知をより効果的に行うすることができるので、たとえば報知を受ける関係者の作業量を軽減することができる。
【０５０９】
また、本発明の第２の実施の形態に係るセンサ情報処理装置では、処理部３２は、所定エリアに関する報知処理を行い、比較結果に応じて報知内容を変更する。
【０５１０】
このように、所定エリアの状態のレベルに応じて報知内容を変更する構成により、報知を受ける関係者は、所定エリアの状態のレベルを容易に認識することができる。
【０５１１】
また、本発明の第２の実施の形態に係るセンサ情報処理装置では、処理部３２は、機器の動作を制御可能であり、比較結果に応じて制御対象の機器を変更する。
【０５１２】
このように、所定エリアの状態のレベルに応じて機器を変更する構成により、所定状態のレベルに応じた適切な機器を動作させることができる。
【０５１３】
また、本発明の第２の実施の形態に係るセンサ情報処理装置では、処理部３２は、機器の動作を制御可能であり、比較結果に応じて機器の動作内容を変更する。
【０５１４】
このように、所定エリアの状態のレベルに応じて機器の動作内容を変更する構成により、所定状態のレベルに応じた適切な動作内容で機器を動作させることができる。
【０５１５】
また、本発明の第２の実施の形態に係るセンサ情報処理装置では、複数のしきい値は、上限しきい値および下限しきい値を含む。そして、処理部３２は、センサ情報の示す値が上限しきい値を上回った場合と、当該値が下限しきい値を下回った場合とで異なる処理を行う。
【０５１６】
このような構成により、所定エリアの状態が、たとえば標準レベルの状態から上のレベルの状態へ遷移するか、または標準レベルの状態から下のレベルの状態へ遷移するかに応じて適切な処理を行うことができる。
【０５１７】
また、本発明の第２の実施の形態に係るセンサ情報処理装置では、受信部２１は、所定エリアに配置された複数のセンサ１から無線送信されるセンサ情報を取得する。そして、処理部３２は、受信部２１によって取得されたセンサ情報が所定条件を満たすセンサ１の数に応じて異なる処理を行う。
【０５１８】
このような構成により、異常なセンサ情報を送信するセンサ１の個数に基づいて、たとえば、工場等の所定エリアにおける異常領域の大きさを認識することができるので、認識した大きさに応じて適切な処理を行うことができる。したがって、所定エリアの監視に関する優れた機能を提供することができる。
【０５１９】
また、本発明の第２の実施の形態に係るセンサ情報処理装置では、受信部２１は、所定エリアに配置された複数のセンサ１から無線送信されるセンサ情報を取得する。処理部３２は、機器の動作を制御可能である。受信部２１は、センサ１と機器とを対応付ける操作を示す操作情報を取得する。そして、処理部３２は、受信部２１によって取得された操作情報に基づいて、受信部２１によって取得されたセンサ情報が所定条件を満たすセンサ１に対応する機器を起動するか、または所定の動作を行わせる。
【０５２０】
このような構成により、たとえば、工場に配置されたセンサ１の周囲の状態が変化することでセンサ情報が所定条件を満たす場合に制御すべき機器とセンサ１とを対応付ける構成により、センサ情報が所定条件を満たす場合において、適切な機器を適切に制御することができる。したがって、所定エリアの監視に関する優れた機能を提供することができる。
【０５２１】
その他の構成および動作は第１の実施の形態に係るセンサ情報処理装置と同様であるため、ここでは詳細な説明を繰り返さない。
【０５２２】
なお、本発明の第１の実施の形態および第２の実施の形態に係る各装置の構成要素および動作のうち、一部または全部を適宜組み合わせることも可能である。
【０５２３】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０５２４】
以上の説明は、以下に付記する特徴を含む。
【０５２５】
［付記１］
所定エリアに配置された複数のセンサから無線送信されるセンサ情報を取得する取得部と、
前記所定エリアの図面を表示する処理を行う処理部とを備え、
前記処理部は、前記取得部によって取得された前記センサ情報に基づく、前記複数のセンサのうちの一部または全部の前記センサのアイコンを、前記図面における対応位置に同時に表示する処理を行い、
前記所定エリアは工場であり、
前記センサ情報は、前記複数のセンサからブロードキャストされ、
前記取得部は、前記センサ情報を中継するための無線装置経由で前記センサ情報を取得し、
前記センサ情報には、前記センサによって計測された前記所定エリアに関する計測値、および前記センサの用いる電池の電池残量が含まれ、
前記処理部は、前記アイコンを、前記計測値または前記電池残量に応じた形態で表示する制御を行う、センサ情報処理装置。
【０５２６】
［付記２］
所定エリアに配置された複数のセンサから無線送信されるセンサ情報を取得する取得部と、
前記所定エリアの図面を表示する処理を行う処理部とを備え、
前記取得部は、前記センサから送信される無線信号を受信する無線装置経由で前記センサ情報を取得し、前記無線装置による前記無線信号の計測結果を取得し、
前記処理部は、前記取得部によって取得された前記計測結果に基づく、前記複数のセンサのうちの一部または全部の前記センサのアイコンを、前記図面における対応位置に同時に表示する処理を行い、
前記所定エリアは工場であり、
前記センサ情報は、前記複数のセンサからブロードキャストされ、
前記センサ情報には、前記計測結果が含まれ、
前記処理部は、前記アイコンを前記計測結果に応じた形態で表示する制御を行う、センサ情報処理装置。
【０５２７】
［付記３］
所定エリアに配置された複数のセンサから無線送信されるセンサ情報を取得する取得部と、
前記取得部によって取得された前記センサ情報の示す値と複数のしきい値とを比較し、比較結果に応じて異なる処理を行う処理部とを備え、
前記所定エリアは工場であり、
前記センサ情報は、前記複数のセンサからブロードキャストされ、
前記取得部は、前記センサ情報を中継するための無線装置経由で前記センサ情報を取得し、
前記センサ情報には、前記センサによって計測された前記所定エリアに関する計測値が含まれ、
前記処理部は、前記計測値と警告上限のしきい値、警告下限のしきい値、注意上限のしきい値および注意下限のしきい値の少なくともいずれか２つとを比較し、比較結果に応じて異なる処理を行う、センサ情報処理装置。
【０５２８】
［付記４］
所定エリアに配置された複数のセンサから無線送信されるセンサ情報を取得する取得部と、
前記取得部によって取得された前記センサ情報が所定条件を満たす前記センサの数に応じて異なる処理を行う処理部とを備え、
前記所定エリアは工場であり、
前記センサ情報は、前記複数のセンサからブロードキャストされ、
前記取得部は、前記センサ情報を中継するための無線装置経由で前記センサ情報を取得し、
前記センサ情報には、前記センサによって計測された前記所定エリアに関する計測値が含まれ、
前記処理部は、前記計測値と警告上限のしきい値、警告下限のしきい値、注意上限のしきい値および注意下限のしきい値の少なくともいずれか２つとを比較し、比較結果が所定条件を満たす前記センサの数に応じて異なる処理を行う、センサ情報処理装置。
【０５２９】
［付記５］
所定エリアに配置された複数のセンサから無線送信されるセンサ情報を取得する取得部と、
機器の動作を制御可能な処理部とを備え、
前記取得部は、さらに、前記センサと前記機器とを対応付ける操作を示す操作情報を取得し、
前記処理部は、前記取得部によって取得された前記操作情報に基づいて、前記取得部によって取得された前記センサ情報が所定条件を満たす前記センサに対応する前記機器を起動するか、または所定の動作を行わせ、
前記所定エリアは工場であり、
前記センサ情報は、前記複数のセンサからブロードキャストされ、
前記取得部は、前記センサ情報を中継するための無線装置経由で前記センサ情報を取得し、
前記センサ情報には、前記センサによって計測された前記所定エリアに関する計測値が含まれ、
前記処理部は、前記計測値と警告上限のしきい値、警告下限のしきい値、注意上限のしきい値および注意下限のしきい値の少なくともいずれか２つとを比較し、前記操作情報に基づいて、比較結果が所定条件を満たす前記センサに対応する前記機器を起動するか、または前記所定の動作を行わせる、センサ情報処理装置。
【０５３０】
［付記６］
センサ情報を無線伝送によりブロードキャストする複数のセンサについて、前記センサに関する判別用情報を取得する取得部と、
前記取得部によって取得された前記判別用情報が所定条件を満たす前記センサを他の前記センサと識別可能に表示する処理を行う処理部とを備え、
前記取得部は、前記センサ情報を中継するための無線装置経由で前記センサ情報を取得し、
前記判別用情報は、前記センサの識別情報、前記無線装置の識別情報および前記センサの通信プロトコルのバージョンを含み、
前記処理部は、前記無線装置の識別情報および前記バージョンが、それぞれ所定の前記無線装置の識別情報および所定のバージョンと一致し、かつ前記センサの識別情報が所定の前記センサの識別情報と一致しない前記センサを所定のリストに表示する制御を行う、センサ情報処理装置。
【０５３１】
［付記７］
センサ情報を無線伝送によりブロードキャストする複数のセンサについて、前記センサに関する判別用情報を取得し、かつ前記センサ情報を取得する取得部と、
前記取得部によって取得された前記判別用情報が所定条件を満たすか否かに応じて、対応の前記センサから取得した前記センサ情報に基づく情報を保存するか否かを決定する処理を行う処理部とを備え
前記取得部は、前記センサ情報を中継するための無線装置経由で前記センサ情報を取得し、
前記判別用情報は、前記センサの識別情報、前記無線装置の識別情報および前記センサの通信プロトコルのバージョンを含み、
前記処理部は、前記無線装置の識別情報および前記バージョンが、それぞれ所定の前記無線装置の識別情報および所定のバージョンと一致する場合において、前記センサの識別情報が所定の前記センサの識別情報と一致する前記センサからの前記センサ情報を保存することを決定し、また前記センサの識別情報が前記所定のセンサの識別情報と一致しない前記センサからの前記センサ情報に基づく情報を保存しないことを決定する、センサ情報処理装置。
【０５３２】
［付記８］
所定エリアに配置された複数のセンサから無線送信されるセンサ情報を取得する取得部と、
前記センサの状態情報を表示する処理を行う処理部とを備え、
前記処理部は、前記取得部によって取得された前記センサ情報に基づいて、前記センサ情報に異常が生じた旨を示す前記状態情報を表示し、その後、前記状態情報を確認する操作が行われた場合、前記状態情報の表示態様を変更し、
前記所定エリアは工場であり、
前記センサ情報は、前記複数のセンサからブロードキャストされ、
前記取得部は、前記センサから送信される無線信号を受信する無線装置経由で前記センサ情報を取得し、前記無線装置による前記無線信号の計測結果を取得し、
前記センサ情報には、前記センサによって計測された前記所定エリアに関する計測値、および前記センサの用いる電池の電池残量が含まれ、
前記処理部は、前記計測値、前記電池残量および前記計測結果の少なくともいずれか１つが異常を示す場合、前記状態情報の内容として前記異常の内容を表示し、その後、前記操作が行われた場合、前記状態情報の表示態様を変更する、センサ情報処理装置。
【０５３３】
［付記９］
所定エリアに配置された複数のセンサから無線送信されるセンサ情報を取得する取得部と、
前記取得部によって取得された前記センサ情報に基づいて、前記センサの電池残量に関する計測結果の履歴を表示する処理を行う処理部とを備え、
前記所定エリアは工場であり、
前記センサ情報は、前記複数のセンサからブロードキャストされ、
前記取得部は、前記センサ情報を中継するための無線装置経由で前記センサ情報を取得し、
前記センサ情報には、前記電池残量が含まれ、
前記処理部は、前記センサ情報に基づいて、前記電池残量の時間変化を示すグラフを表示する制御を行う、センサ情報処理装置。
【０５３４】
［付記１０］
所定エリアに配置された複数のセンサから無線送信されるセンサ情報を取得する取得部と、
前記センサから送信される無線信号に関する計測結果の履歴を表示する処理を行う処理部とを備え、
前記所定エリアは工場であり、
前記センサ情報は、前記複数のセンサからブロードキャストされ、
前記取得部は、前記センサから送信される無線信号を受信する無線装置経由で前記センサ情報を取得し、前記無線装置による前記無線信号の計測結果を取得し、
前記処理部は、前記取得部によって取得された前記計測結果の時間変化を示すグラフを表示する制御を行う、センサ情報処理装置。
【符号の説明】
【０５３５】
１  センサ
２  無線端末装置
１１  内部ネットワーク
２１  受信部（取得部）
２２  記憶部
２３  受付部（取得部）
２４  送信部
３１，３２  処理部
１０１，１０２  センサ情報処理装置
１１１  警告灯
１２１  カメラ
１３１  表示装置
１５１  アクセスポイント
３０１，３０２  センサ情報処理システム
【図１】
2020078089.tif 000003
【図２】
2020078089.tif 000004
【図３】
2020078089.tif 000005
【図４】
2020078089.tif 000006
【図５】
2020078089.tif 000007
【図６】
2020078089.tif 000008
【図７】
2020078089.tif 000009
【図８】
2020078089.tif 000010
【図９】
2020078089.tif 000011
【図１０】
2020078089.tif 000012
【図１１】
2020078089.tif 000013
【図１２】
2020078089.tif 000014
【図１３】
2020078089.tif 000015
【図１４】
2020078089.tif 000016
【図１５】
2020078089.tif 000017
【図１６】
2020078089.tif 000018
【図１７】
2020078089.tif 000019
【図１８】
2020078089.tif 000020
【図１９】
2020078089.tif 000021
【図２０】
2020078089.tif 000022
【図２１】
2020078089.tif 000023
【図２２】
2020078089.tif 000024
【図２３】
2020078089.tif 000025
【図２４】
2020078089.tif 000026
【図２５】
2020078089.tif 000027
【図２６】
2020078089.tif 000028
【図２７】
2020078089.tif 000029
【図２８】
2020078089.tif 000030
【図２９】
2020078089.tif 000031
【図３０】
2020078089.tif 000032
【図３１】
2020078089.tif 000033
【図３２】
2020078089.tif 000034
【図３３】
2020078089.tif 000035
【図３４】
2020078089.tif 000036
【図３５】
2020078089.tif 000037
【図３６】
2020078089.tif 000038
【図３７】
2020078089.tif 000039
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
所定エリアに配置された複数のセンサから無線送信されるセンサ情報を取得する取得部と、
前記所定エリアの図面を表示する処理を行う処理部とを備え、
前記処理部は、前記取得部によって取得された前記センサ情報に基づく、前記複数のセンサのうちの一部または全部の前記センサのアイコンを、前記図面における対応位置に同時に表示する処理を行い、
前記センサ情報は、前記センサの計測対象に関する計測結果と、前記センサの電池残量に関する計測結果とを含み、
前記処理部は、前記アイコンを選択する操作内容を示す操作情報に基づいて、前記操作内容に応じて、選択された前記アイコンに対応する前記センサの計測対象に関する計測結果の履歴を表示する処理、または選択された前記アイコンに対応する前記センサから送信される無線信号に関する計測結果の履歴を表示する処理を選択し、実行する、センサ情報処理装置。
【請求項２】
前記センサ情報は、前記センサの計測対象に関する計測結果を含む、請求項１に記載のセンサ情報処理装置。
【請求項３】
前記センサ情報は、前記センサの電池残量に関する計測結果を含む、請求項１または請求項２に記載のセンサ情報処理装置。
【請求項４】
前記センサ情報は、前記センサの異常に関する判定結果を含む、請求項１から請求項３のいずれか１項に記載のセンサ情報処理装置。
【請求項５】
前記処理部は、前記センサ情報の内容に応じて対応の前記アイコンの表示色を変更する、請求項１から請求項４のいずれか１項に記載のセンサ情報処理装置。
【請求項６】
前記処理部は、前記センサ情報の内容に応じた対応の前記センサの電池の交換時期を認識可能に表示する処理を行う、請求項１から請求項５のいずれか１項に記載のセンサ情報処理装置。
【請求項７】
前記処理部は、前記電池の前記交換時期までの日数を表示する処理を行う、請求項６に記載のセンサ情報処理装置。
【請求項８】
前記処理部は、前記図面における対応位置が未定である前記アイコンを所定位置に表示する処理を行い、
前記処理部は、前記対応位置を指定する操作内容を示す操作情報に基づいて前記アイコンの表示位置を前記所定位置から前記対応位置に変更する、請求項１から請求項７のいずれか１項に記載のセンサ情報処理装置。
【請求項９】
前記処理部は、前記取得部において前記センサ情報が所定時間以上取得されない場合に、対応の前記センサの前記アイコンの表示態様を変更する、請求項１から請求項８のいずれか１項に記載のセンサ情報処理装置。
【請求項１０】
センサ情報処理装置において用いられる処理プログラムであって、
コンピュータを、
所定エリアに配置された複数のセンサから無線送信されるセンサ情報を取得する取得部と、
前記所定エリアの図面を表示する処理を行う処理部と、
として機能させるためのプログラムであり、
前記処理部は、前記取得部によって取得された前記センサ情報に基づく、前記複数のセンサのうちの一部または全部の前記センサのアイコンを、前記図面における対応位置に同時に表示する処理を行い、
前記センサ情報は、前記センサの計測対象に関する計測結果と、前記センサの電池残量に関する計測結果とを含み、
前記処理部は、前記アイコンを選択する操作内容を示す操作情報に基づいて、前記操作内容に応じて、選択された前記アイコンに対応する前記センサの計測対象に関する計測結果の履歴を表示する処理、または選択された前記アイコンに対応する前記センサから送信される無線信号に関する計測結果の履歴を表示する処理を選択し、実行する、処理プログラム。